(57)【要約】【課題】干渉を低減し、かつ、負荷を分散可能な無線装置を提供する。【解決手段】無線基地局１は、起動状態であり、無線基地局２は、スリープ状態である。端末装置３〜６は、無線基地局１に接続している。無線基地局１は、自己が無線通信に使用しているチャネルＣＨ１が自己への新たな接続を拒否する過負荷状態であると判定すると、チャネルＣＨ１を示すチャネル情報と過負荷状態を示す過負荷情報とを含むビーコンフレームをブロードキャストする。端末装置３〜６は、ビーコンフレームを受信すると、無線基地局１のチャネルＣＨ１が過負荷状態であることを検知し、チャネル情報によって示されるチャネルＣＨ１以外のチャネルＣＨ２で起動するようにウェイクアップ信号を無線基地局２へ送信する。端末装置３〜６は、無線基地局２が起動すると、接続先を無線基地局１から無線基地局２に切り替える。【選択図】図８
2015149631.tif 000002
【特許請求の範囲】
【請求項１】
第１の無線装置が無線通信に使用している第１の無線通信資源における負荷が、無線通信特性がしきい値よりも低くなる負荷状態であるとき、第１の無線装置と異なる第２の無線装置が第１の無線通信資源と異なる第２の無線通信資源で起動または無線通信を行うように前記第２の無線装置を制御する制御手段を備え、
前記第１および第２の無線通信資源の各々は、チャネル、送信タイミングおよびタイムスロットのいずれかからなる、無線装置。
【請求項２】
前記第１の無線装置と無線通信を行っているときに、前記第１の無線通信資源における負荷が前記第１の無線装置への新たな接続を前記第１の無線装置によって拒否される状態である過負荷状態になり、かつ、前記第２の無線装置が前記第２の無線通信資源で起動すると、当該無線装置の接続先を前記第１の無線装置から前記第２の無線装置へ切り替える切替手段を更に備える、請求項１に記載の無線装置。
【請求項３】
前記第１の無線通信資源における負荷が前記過負荷状態であることを示す過負荷情報と前記第１の無線通信資源を示す資源情報とを前記第１の無線装置から受信する受信手段と、
前記受信手段が前記過負荷情報および前記資源情報を受信すると、前記第２の無線装置が前記第２の無線通信資源で起動すべきことを示すウェイクアップ信号を前記第２の無線装置へ送信する送信手段とを更に備える、請求項２に記載の無線装置。
【請求項４】
前記受信手段は、更に、前記第２の無線装置が起動した後、前記第１の無線通信資源における無線通信の負荷に応じて前記第１の無線装置が決定した前記第１の無線装置の状態を示す第１の状態情報を前記第１の無線装置から定期的に受信するとともに、前記第２の無線通信資源における無線通信の負荷に応じて前記第２の無線装置が決定した前記第２の無線装置の状態を示す第２の状態情報を前記第２の無線装置から定期的に受信し、
前記切替手段は、更に、前記受信手段が前記第１および第２の状態情報を受信する毎に、前記第１および第２の状態情報に基づいて、前記第１および第２の無線装置における負荷を低減するように、当該無線装置の接続先を前記第１の無線装置から前記第２の無線装置へ切り替える負荷分散処理と当該無線装置の接続先を前記第２の無線装置から前記第１の無線装置へ切り替える負荷集約処理とのいずれかを行う、請求項３に記載の無線装置。
【請求項５】
前記切替手段は、前記第１および第２の状態情報に基づいて前記第１および第２の無線装置の両方がスリープ状態への移行を要求していると判定したとき、負荷集約確率に従って前記負荷集約処理を行う、請求項４に記載の無線装置。
【請求項６】
前記切替手段は、前記第２の状態情報に基づいて前記第２の無線装置がスリープ状態への移行を要求していると判定しまたは前記第２の無線装置に接続可能と判定するとともに、前記第１の無線装置に接続されている無線装置の台数と前記第２の無線装置に接続されている無線装置の台数との差が複数台であるとき、負荷分散確率に従って前記負荷分散処理を行う、請求項４に記載の無線装置。
【請求項７】
前記切替手段は、前記負荷集約処理または前記負荷分散処理を行った後、所望の時間、前記負荷集約処理または前記負荷分散処理を禁止する、請求項５または請求項６に記載の無線装置。
【請求項８】
前記第１および第２の無線装置の各々は、無線基地局である、請求項１から請求項７のいずれか１項に記載の無線装置。
【請求項９】
無線通信に使用している無線通信資源における負荷を検出する負荷検出手段と、
前記検出された負荷に基づいて、当該無線装置の状態が当該無線装置への新たな接続を拒否する状態である過負荷状態であるか否かを判定する判定手段と、
前記判定手段によって当該無線装置の状態が前記過負荷状態であると判定されると、前記過負荷状態であることを示す過負荷情報と前記無線通信資源を示す資源情報とを含む制御パケットをブロードキャストする送信手段とを備え、
前記無線通信資源は、チャネル、送信タイミングおよびタイムスロットのいずれかからなる、無線装置。
【請求項１０】
無線通信に使用している第１の無線通信資源における負荷を検出する負荷検出手段と、
前記検出された負荷に基づいて、当該無線装置の状態が当該無線装置への新たな接続を拒否する状態である過負荷状態であるか否かを判定する判定手段と、
前記判定手段によって当該無線装置の状態が前記過負荷状態であると判定されると、前記第１の無線通信資源と異なる第２の無線通信資源で起動するように要求する起動要求を無線通信によって他の無線装置へ送信する送信手段とを備え、
前記第１および第２の無線通信資源の各々は、チャネル、送信タイミングおよびタイムスロットのいずれかからなる、無線装置。
【請求項１１】
有線ケーブルを介してネットワークに接続され、前記ネットワークを介して通信を行う通信手段を更に備える、請求項９または請求項１０に記載の無線装置。
【請求項１２】
第１の無線装置が無線通信に使用している第１の無線通信資源における負荷が、無線通信特性がしきい値よりも低くなる負荷状態であるとき、第１の無線装置と異なる第２の無線装置が第１の無線通信資源と異なる第２の無線通信資源で起動または無線通信を行うように前記第２の無線装置を制御する第１のステップをコンピュータに実行させ、
前記第１および第２の無線通信資源の各々は、チャネル、送信タイミングおよびタイムスロットのいずれかからなる、コンピュータに実行させるためのプログラム。
【請求項１３】
前記第１の無線装置と無線通信を行っているときに、前記第１の無線通信資源における負荷が前記第１の無線装置への新たな接続を前記第１の無線装置によって拒否される状態である過負荷状態になり、かつ、前記第２の無線装置が前記第２の無線通信資源で起動すると、当該無線装置の接続先を前記第１の無線装置から前記第２の無線装置へ切り替える第２のステップをコンピュータに更に実行させる、請求項１２に記載のコンピュータに実行させるためのプログラム。
【請求項１４】
前記第１の無線通信資源における負荷が前記過負荷状態であることを示す過負荷情報と前記第１の無線通信資源を示す資源情報とを前記第１の無線装置から受信する第３のステップと、
前記第３のステップにおいて前記過負荷情報および前記資源情報が受信されると、前記第２の無線装置が前記第２の無線通信資源で起動すべきことを示すウェイクアップ信号を前記第２の無線装置へ送信する第４のステップとを更にコンピュータに実行させる、請求項１３に記載のプログラム。
【請求項１５】
前記第２の無線装置が起動した後、前記第１の無線通信資源における無線通信の負荷に応じて前記第１の無線装置が決定した前記第１の無線装置の状態を示す第１の状態情報を前記第１の無線装置から定期的に受信するとともに、前記第２の無線通信資源における無線通信の負荷に応じて前記第２の無線装置が決定した前記第２の無線装置の状態を示す第２の状態情報を前記第２の無線装置から定期的に受信する第５のステップと、
前記第１および第２の状態情報が受信される毎に、前記第１および第２の状態情報に基づいて、前記第１および第２の無線装置における負荷を低減するように、当該無線装置の接続先を前記第１の無線装置から前記第２の無線装置へ切り替える負荷分散処理と当該無線装置の接続先を前記第２の無線装置から前記第１の無線装置へ切り替える負荷集約処理とのいずれかを行う第６のステップとを更にコンピュータに実行させる、請求項１４に記載のプログラム。
【請求項１６】
前記第６のステップにおいて、前記第１および第２の状態情報に基づいて前記第１および第２の無線装置の両方がスリープ状態への移行を要求していると判定されたとき、負荷集約確率に従って前記負荷集約処理が実行される、請求項１５に記載のプログラム。
【請求項１７】
前記第６のステップにおいて、前記第２の状態情報に基づいて前記第２の無線装置がスリープ状態への移行を要求していると判定しまたは前記第２の無線装置に接続可能と判定するとともに、前記第１の無線装置に接続されている無線装置の台数と前記第２の無線装置に接続されている無線装置の台数との差が複数台であるとき、負荷分散確率に従って前記負荷分散処理が実行される、請求項１５に記載のプログラム。
【請求項１８】
前記負荷集約処理または前記負荷分散処理を行った後、所望の時間、前記負荷集約処理または前記負荷分散処理を禁止する第７のステップを更にコンピュータに実行させる、請求項１６または請求項１７に記載のプログラム。
【請求項１９】
前記第１および第２の無線装置の各々は、無線基地局である、請求項１２から請求項１８のいずれか１項に記載のプログラム。
【請求項２０】
無線通信に使用している無線通信資源における負荷を検出する第１のステップと、
前記検出された負荷に基づいて、当該無線装置の状態が当該無線装置への新たな接続を拒否する状態である過負荷状態であるか否かを判定する第２のステップと、
前記第２のステップにおいて当該無線装置の状態が前記過負荷状態であると判定されると、前記過負荷状態であることを示す過負荷情報を含む制御パケットをブロードキャストする第３のステップとをコンピュータに実行させ、
前記無線通信資源は、チャネル、送信タイミングおよびタイムスロットのいずれかからなる、コンピュータに実行させるためのプログラム。
【請求項２１】
無線通信に使用している第１の無線通信資源における負荷を検出する第１のステップと、
前記検出された負荷に基づいて、当該無線装置の状態が当該無線装置への新たな接続を拒否する状態である過負荷状態であるか否かを判定する第２のステップと、
前記第２のステップにおいて当該無線装置の状態が前記過負荷状態であると判定されると、前記第１の無線通信資源と異なる第２の無線通信資源で起動するように要求する起動要求を無線通信によって他の無線装置へ送信する第３のステップとをコンピュータに実行させ、
前記無線通信資源は、チャネル、送信タイミングおよびタイムスロットのいずれかからなる、コンピュータに実行させるためのプログラム。
【請求項２２】
有線ケーブルを介してネットワークに接続され、前記ネットワークを介して通信を行う第４のステップを更にコンピュータに実行させる、請求項２０または請求項２１に記載のプログラム。
【発明の詳細な説明】
【技術分野】
【０００１】
この発明は、無線装置およびそれにおいて実行されるプログラムに関するものである。
【背景技術】
【０００２】
従来、スリープ状態にある無線基地局へウェイクアップ信号を送信し、無線基地局をスリープ状態から起動状態へ移行させる技術が知られている（特許文献１）。
【０００３】
また、無線基地局の識別情報を示すフレーム長を有する無線フレームを送信して無線基地局をスリープ状態から起動状態へ移行させる技術が知られている（特許文献２）。
【先行技術文献】
【特許文献】
【０００４】
【特許文献１】特許第５１９０５６８号公報
【特許文献２】特許第５１９０５６９号公報
【発明の概要】
【発明が解決しようとする課題】
【０００５】
しかし、特許文献１，２に記載された技術を用いて無線基地局を起動状態へ移行させた場合、起動状態へ移行した無線基地局に対して多くの端末装置が接続を要求すると、その無線基地局に接続が集中するという負荷集中問題が発生する。
【０００６】
また、起動状態へ移行した無線基地局の周囲に利用可能な無線基地局が存在する場合、その利用可能な無線基地局をスリープ状態から起動状態へ移行させると、複数の無線基地局が起動状態になり、無線通信の干渉が発生するという問題もある。
【０００７】
これらの負荷集中および無線通信の干渉という問題は、端末装置と無線基地局とが無線通信を行う場合に限らず、アドホック無線ネットワークにおける無線通信のように各無線装置が無線通信を中継して無線通信を行う場合にも発生する問題である。
【０００８】
そこで、この発明は、かかる問題を解決するためになされたものであり、その目的は、干渉を低減し、かつ、負荷を分散可能な無線装置を提供することである。
【０００９】
また、この発明の別の目的は、干渉を低減し、かつ、負荷を分散可能な無線装置において実行されるプログラムを提供することである。
【課題を解決するための手段】
【００１０】
この発明の実施の形態によれば、無線装置は、制御手段を備える。制御手段は、第１の無線装置が無線通信に使用している第１の無線通信資源における負荷が、無線通信特性がしきい値よりも低くなる負荷状態であるとき、第１の無線装置と異なる第２の無線装置が第１の無線通信資源と異なる第２の無線通信資源で起動または無線通信を行うように第２の無線装置を制御する。そして、第１および第２の無線通信資源の各々は、チャネル、送信タイミングおよびタイムスロットのいずれかからなる。
【００１１】
この発明の実施の形態による無線装置は、第１の無線通信資源における負荷が、無線通信特性がしきい値よりも低くなる負荷状態であるとき、第２の無線装置が第２の無線通信資源で起動または無線通信を行うように第２の無線装置を制御する。その結果、第１および第２の無線装置は、相互に異なる無線通信資源を用いて無線通信を行う。
【００１２】
従って、無線通信の干渉を低減して第１の無線装置の負荷を分散できる。
【００１３】
また、この発明の実施の形態によれば、無線装置は、無線通信に使用している無線通信資源における負荷を検出する負荷検出手段と、検出された負荷に基づいて、当該無線装置の状態が当該無線装置への新たな接続を拒否する状態である過負荷状態であるか否かを判定する判定手段と、判定手段によって当該無線装置の状態が過負荷状態であると判定されると、過負荷状態であることを示す過負荷情報と無線通信資源を示す資源情報とを含む制御パケットをブロードキャストする送信手段とを備え、無線通信資源は、チャネル、送信タイミングおよびタイムスロットのいずれかからなる。
【００１４】
この発明の実施の形態による無線装置は、自己が無線通信に使用している無線通信資源の負荷が過負荷状態であると判定すると、過負荷情報と資源情報とを含む制御パケットをブロードキャストする。その結果、制御パケットを受信した無線装置は、制御パケットに含まれる過負荷情報を参照して、この発明の実施の形態による無線装置が無線通信に使用している無線通信資源が過負荷状態であることを検知し、制御パケットに含まれる無線通信資源以外の無線通信資源で他の無線装置を起動させ、その起動した他の無線装置に接続できる。
【００１５】
従って、無線通信の干渉を低減して、この発明の実施の形態による無線装置の負荷を分散できる。
【００１６】
更に、この発明の実施の形態によれば、無線装置は、無線通信に使用している第１の無線通信資源における負荷を検出する負荷検出手段と、検出された負荷に基づいて、当該無線装置の状態が当該無線装置への新たな接続を拒否する状態である過負荷状態であるか否かを判定する判定手段と、判定手段によって当該無線装置の状態が過負荷状態であると判定されると、第１の無線通信資源と異なる第２の無線通信資源で起動するように要求する起動要求を無線通信によって他の無線装置へ送信する送信手段とを備え、第１および第２の無線通信資源の各々は、チャネル、送信タイミングおよびタイムスロットのいずれかからなる。
【００１７】
この発明の実施の形態による無線装置は、自己が検出した負荷に基づいて、自己が過負荷状態であると判定すると、第２の無線通信資源で起動するように要求する起動要求を他の無線装置へ送信する。その結果、他の無線装置が起動し、その起動した他の無線装置に接続した無線装置は、第２の無線通信資源を用いて他の無線装置と無線通信を行う。
【００１８】
従って、無線通信の干渉を低減して、この発明の実施の形態による無線装置の負荷を分散できる。
【００１９】
更に、この発明の実施の形態によれば、コンピュータに実行させるためのプログラムは、第１の無線通信資源における負荷が、無線通信特性がしきい値よりも低くなる負荷状態であるとき、第１の無線装置と異なる第２の無線装置が第１の無線通信資源と異なる第２の無線通信資源で起動または無線通信を行うように第２の無線装置を制御する第１のステップをコンピュータに実行させ、第１および第２の無線通信資源の各々は、チャネル、送信タイミングおよびタイムスロットのいずれかからなる。
【００２０】
この発明の実施の形態によるプログラムをコンピュータ上で実行することによって、第１の無線通信資源における負荷が、無線通信特性がしきい値よりも低くなる負荷状態であるとき、第２の無線装置が第２の無線通信資源で起動または無線通信を行うように第２の無線装置を制御する。その結果、第１および第２の無線装置は、相互に異なる無線通信資源を用いて無線通信を行う。
【００２１】
従って、無線通信の干渉を低減して第１の無線装置の負荷を分散できる。
【００２２】
更に、この発明の実施の形態によれば、コンピュータに実行させるためのプログラムは、無線通信に使用している無線通信資源における負荷を検出する第１のステップと、検出された負荷に基づいて、当該無線装置の状態が当該無線装置への新たな接続を拒否する状態である過負荷状態であるか否かを判定する第２のステップと、第２のステップにおいて当該無線装置の状態が過負荷状態であると判定されると、過負荷状態であることを示す過負荷情報を含む制御パケットをブロードキャストする第３のステップとをコンピュータに実行させ、無線通信資源は、チャネル、送信タイミングおよびタイムスロットのいずれかからなる。
【００２３】
この発明の実施の形態によるプログラムをコンピュータ上で実行することによって、無線装置は、自己が無線通信に使用している無線通信資源の負荷が過負荷状態であると判定すると、過負荷情報と資源情報とを含む制御パケットをブロードキャストする。その結果、制御パケットを受信した無線装置は、制御パケットに含まれる過負荷情報を参照して、制御パケットをブロードキャストした無線装置が無線通信に使用している無線通信資源が過負荷状態であることを検知し、制御パケットに含まれる無線通信資源以外の無線通信資源で他の無線装置を起動させ、その起動した他の無線装置に接続できる。
【００２４】
従って、無線通信の干渉を低減して、この発明の実施の形態による無線装置の負荷を分散できる。
【００２５】
更に、この発明の実施の形態によれば、コンピュータに実行させるためのプログラムは、無線通信に使用している第１の無線通信資源における負荷を検出する第１のステップと、検出された負荷に基づいて、当該無線装置の状態が当該無線装置への新たな接続を拒否する状態である過負荷状態であるか否かを判定する第２のステップと、第２のステップにおいて当該無線装置の状態が過負荷状態であると判定されると、第１の無線通信資源と異なる第２の無線通信資源で起動するように要求する起動要求を無線通信によって他の無線装置へ送信する第３のステップとをコンピュータに実行させ、無線通信資源は、チャネル、送信タイミングおよびタイムスロットのいずれかからなる。
【００２６】
この発明の実施の形態によるプログラムをコンピュータ上で実行することによって、無線装置は、自己が検出した負荷に基づいて、自己が過負荷状態であると判定すると、第２の無線通信資源で起動するように要求する起動要求を他の無線装置へ送信する。その結果、他の無線装置が起動し、その起動した他の無線装置に接続した無線装置は、第２の無線通信資源を用いて他の無線装置と無線通信を行う。
【００２７】
従って、無線通信の干渉を低減して、この発明の実施の形態による無線装置の負荷を分散できる。
【発明の効果】
【００２８】
この発明の実施の形態によれば、無線通信の干渉を低減して負荷を分散できる。
【図面の簡単な説明】
【００２９】
【図１】この発明の実施の形態１による無線通信システムの構成を示す概略図である。
【図２】図１に示す無線基地局の構成図である。
【図３】図１に示す端末装置の構成図である。
【図４】無線基地局の状態を定義する例を示す図である。
【図５】状態情報と接続台数との対応表を示す図である。
【図６】図１に示す無線通信システムにおいて無線基地局を起動状態へ移行させる動作を説明するためのフローチャートである。
【図７】２台の無線基地局のいずれか一方が起動状態であるときの無線通信システムにおける動作を説明するためのフローチャートである。
【図８】図７に示すフローチャートによって実行される負荷分散の概念図である。
【図９】負荷集約処理および負荷分散処理の動作を説明するためのフローチャートである。
【図１０】負荷集約処理の概念図である。
【図１１】負荷分散処理の概念図である。
【図１２】実施の形態２による無線通信システムの構成を示す概略図である。
【図１３】図１２に示す無線基地局の構成図である。
【図１４】２台の無線基地局のいずれか一方が起動状態であるときの無線通信システムにおける動作を説明するためのフローチャートである。
【図１５】実施の形態３による無線通信システムの構成を示す概略図である。
【図１６】端末装置が新たに参加したときの無線通信システムの動作を説明するフローチャートである。
【図１７】実施の形態４による無線通信システムの構成を示す概略図である。
【図１８】図１７に示す無線基地局の構成図である。
【図１９】図１７に示す端末装置の構成図である。
【図２０】図１７に示す無線通信システムの動作を説明するためのフローチャートである。
【発明を実施するための形態】
【００３０】
本発明の実施の形態について図面を参照しながら詳細に説明する。なお、図中同一または相当部分には同一符号を付してその説明は繰返さない。
【００３１】
［実施の形態１］
図１は、この発明の実施の形態１による無線通信システムの構成を示す概略図である。図１を参照して、この発明の実施の形態１による無線通信システム１０は、無線基地局１，２と、端末装置３〜６とを備える。
【００３２】
無線基地局１，２は、有線ケーブル２０を介してネットワーク３０に接続される。また、無線基地局１は、有線ケーブル２０を介して無線基地局２と接続されていてもよい。
【００３３】
無線基地局１，２の各々は、例えば、３つのチャネルＣＨ１〜ＣＨ３のうちのいずれかを用いて端末装置３〜６との間で無線通信を行う。
【００３４】
無線基地局１，２の各々は、スリープ状態にあるとき、端末装置３〜６のいずれかから送信されたウェイクアップ信号を受信すると、ウェイクアップ信号によって指定されたチャネルでスリープ状態から起動状態へ移行する。
【００３５】
無線基地局１，２の各々は、スリープ状態から起動状態へ移行すると、後述する方法によって、無線通信に使用しているチャネルＣＨ＿ｕｓｅにおける負荷を検出する。そして、無線基地局１，２の各々は、後述する方法によって、その検出した負荷に基づいて、自己がどのような状態であるかを判定する。その後、無線基地局１，２の各々は、チャネルＣＨ＿ｕｓｅを示すチャネル情報と、自己の状態を示す状態情報とを含むビーコンフレームをブロードキャストする。
【００３６】
なお、無線基地局１，２の各々は、負荷の検出、自己の状態判定およびチャネル情報と状態情報とのブロードキャストを定期的に行う。
【００３７】
また、この発明の実施の形態においては、スリープ状態とは、無線通信を行うことができない状態を言い、起動状態とは、無線通信を行うことができる状態を言う。
【００３８】
端末装置３〜６は、無線基地局１の通信範囲および無線基地局２の通信範囲に存在する。
【００３９】
端末装置３〜６は、無線基地局１，２からビーコンフレームを定期的に受信する。端末装置３〜６は、ＣＳＭＡ／ＣＡ（Carrier Sense Multiple Access with Collision Avoidance）方式によって無線基地局１または無線基地局２と無線通信を行う。
【００４０】
端末装置３〜６は、起動状態である無線基地局１に接続しており、かつ、無線基地局２がスリープ状態であるときに、無線基地局１からビーコンフレームを受信すると、ビーコンフレームに含まれるチャネル情報および状態情報を検出する。そして、端末装置３〜６は、その検出した状態情報に基づいて無線基地局１が過負荷状態であることを検知すると、チャネル情報によって示されるチャネルＣＨ＿ｕｓｅ以外のチャネルＣＨ＿ｏｔｈｅｒを示すチャネル情報ＣＨ＿ｏｔｈｅｒ＿ｉｎｆｏと無線基地局２をスリープ状態から起動状態へ移行させるためのウェイクアップＩＤ（＝無線基地局２の識別情報）とを含むウェイクアップ信号を生成する。そして、端末装置３〜６は、その生成したウェイクアップ信号をブロードキャストする。即ち、端末装置３〜６は、無線基地局１が過負荷状態であることを検知すると、無線基地局１が使用しているチャネルＣＨ＿ｕｓｅ以外のチャネルで起動するようにウェイクアップ信号を無線基地局２へ送信する。
【００４１】
その後、無線基地局２がスリープ状態から起動状態へ移行すると、端末装置３〜６の一部は、接続先を無線基地局１から無線基地局２へ切り替え、チャネルＣＨ＿ｏｔｈｅｒで無線基地局２と無線通信を行う。
【００４２】
端末装置３〜６は、無線基地局１，２の両方が起動状態へ移行しているとき、無線基地局１，２からビーコンフレームを受信する毎に、その受信したビーコンフレームに含まれる状態情報に基づいて、後述する方法によって、負荷集約処理および負荷分散処理のいずれかを行う。
【００４３】
図２は、図１に示す無線基地局１の構成図である。図２を参照して、無線基地局１は、アンテナ１１と、切替器１２と、ウェイクアップ装置１３と、メイン装置１４と、電源１５とを含む。
【００４４】
アンテナ１１は、切替器１２を介してウェイクアップ装置１３またはメイン装置１４に接続される。
【００４５】
切替器１２は、アンテナ１１と、ウェイクアップ装置１３およびメイン装置１４との間に接続される。
【００４６】
アンテナ１１は、無線通信によって端末装置３〜６のいずれかからパケットを受信し、その受信したパケットを切替器１２を介してウェイクアップ装置１３またはメイン装置１４へ出力する。また、アンテナ１１は、メイン装置１４から受けたパケットを無線通信によって端末装置３〜６のいずれかへ送信する。
【００４７】
切替器１２は、メイン装置１４からの制御信号ＣＴＬに応じて、アンテナ１１をウェイクアップ装置１３またはメイン装置１４に接続する。
【００４８】
ウェイクアップ装置１３は、例えば、１００μＷの電力を電源１５から受け、その受けた電力によって駆動される。また、ウェイクアップ装置１３は、メイン装置１４がスリープ状態にあるとき、切替器１２を介してアンテナ１１に接続される。そして、ウェイクアップ装置１３は、アンテナ１１を介して端末装置３〜６のいずれかからウェイクアップ信号を受信すると、その受信したウェイクアップ信号に含まれるウェイクアップＩＤが無線基地局１のＩＤに一致するか否かを判定する。ウェイクアップ装置１３は、ウェイクアップＩＤが無線基地局１のＩＤに一致すると判定したとき、起動信号を生成し、その生成した起動信号と、ウェイクアップ信号に含まれるチャネル情報ＣＨ＿ｏｔｈｅｒ＿ｉｎｆｏとをメイン装置１４へ出力する。
【００４９】
一方、ウェイクアップ装置１３は、ウェイクアップＩＤが無線基地局１のＩＤに一致しないとき、ウェイクアップ信号を破棄する。そして、ウェイクアップ装置１３は、ウェイクアップ信号の受信を待つ状態になる。
【００５０】
なお、ウェイクアップ装置１３は、ウェイクアップ信号等のパケットを受信する機能のみを有し、パケットを送信する機能を有しない。
【００５１】
メイン装置１４は、例えば、７Ｗの電力を電源１５から受け、その受けた電力によって駆動される。
【００５２】
メイン装置１４は、起動状態であるとき、アンテナ１１を介して端末装置３〜６のいずれかと無線通信を行い、有線ケーブル２０を介して他の通信装置と通信を行う。
【００５３】
また、メイン装置１４は、一定の期間Ｔ１、端末装置３〜６と無線通信を行わなかったとき、または無線基地局１に接続している端末装置が存在しないとき、起動状態からスリープ状態へ移行する。なお、一定の期間Ｔ１は、例えば、数十秒に設定される。
【００５４】
更に、メイン装置１４は、スリープ状態にあるときに、ウェイクアップ装置１３から起動信号を受けると、スリープ状態から起動状態へ移行する。そして、メイン装置１４は、起動信号によって指示されたチャネルＣＨ＿ｏｔｈｅｒで端末装置３〜６と無線通信を行う。
【００５５】
更に、メイン装置１４は、端末装置３〜６との無線通信に使用しているチャネルＣＨ＿ｕｓｅにおいて、無線基地局１に接続している端末装置の台数Ｎ（Ｎは正の整数）を無線基地局１の負荷として検出する。そして、メイン装置１４は、その検出した台数Ｎに基づいて、後述する方法によって、無線基地局１の状態ｓｔａｔｅを判定する。その後、メイン装置１４は、チャネルＣＨ＿ｕｓｅを示すチャネル情報ＣＨ＿ｕｓｅ＿ｉｎｆｏと、無線基地局１の状態ｓｔａｔｅを示す状態情報ｓｔａｔｅ＿ｉｎｆｏとを含むビーコンフレームＢｅａｃｏｎを生成し、その生成したビーコンフレームＢｅａｃｏｎをアンテナ１１を介してブロードキャストする。
【００５６】
電源１５は、１００μＷの電力をウェイクアップ装置１３へ供給し、７Ｗの電力をメイン装置１４へ供給する。
【００５７】
切替器１２は、スイッチ１２１と、端子１２２，１２３とを含む。ウェイクアップ装置１３は、ウェイクアップ信号受信器１３１と、ウェイクアップ判定器１３２とを含む。メイン装置１４は、無線通信モジュール１４１と、有線通信モジュール１４２と、ホストシステム１４３とを含む。
【００５８】
スイッチ１２１は、アンテナ１１に接続される。端子１２２は、ウェイクアップ信号受信器１３１に接続される。端子１２３は、無線通信モジュール１４１に接続される。
【００５９】
スイッチ１２１は、メイン装置１４のホストシステム１４３から制御信号ＣＴＬを受ける。そして、スイッチ１２１は、その制御信号ＣＴＬによってアンテナ１１を端子１２２または端子１２３に接続する。
【００６０】
この場合、制御信号ＣＴＬは、Ｌ（論理ロー）レベルの信号、またはＨ（論理ハイ）レベルの信号からなる。そして、スイッチ１２１は、制御信号ＣＴＬがＬレベルの信号からなる場合、アンテナ１１を端子１２２に接続し、制御信号ＣＴＬがＨレベルの信号からなる場合、アンテナ１１を端子１２３に接続する。
【００６１】
ウェイクアップ信号受信器１３１は、パケットを受信する機能のみを有し、パケットを送信する機能を有しない。
【００６２】
ウェイクアップ信号受信器１３１は、無線通信帯域に含まれる周波数に設定されたチャネルＣＨ１〜ＣＨ３を有する。そして、ウェイクアップ信号受信器１３１は、スイッチ１２１が端子１２２に接続されたとき、チャネルＣＨ１〜ＣＨ３の全てまたはチャネルＣＨ１〜ＣＨ３のうちのいずれかのチャネルでウェイクアップ信号を待ち受ける。
【００６３】
ウェイクアップ信号受信器１３１は、ウェイクアップ信号をアンテナ１１を介して受信すると、その受信したウェイクアップ信号を復調し、その復調したウェイクアップ信号をウェイクアップ判定器１３２へ出力する。
【００６４】
ウェイクアップ判定器１３２は、無線基地局１のＩＤを予め保持している。ウェイクアップ判定器１３２は、ウェイクアップ信号をウェイクアップ信号受信器１３１から受ける。そして、ウェイクアップ判定器１３２は、その受けたウェイクアップ信号に含まれるウェイクアップＩＤおよびチャネル情報ＣＨ＿ｏｔｈｅｒ＿ｉｎｆｏを抽出する。
【００６５】
そうすると、ウェイクアップ判定器１３２は、ウェイクアップＩＤが無線基地局１のＩＤに一致するか否かを判定する。ウェイクアップ判定器１３２は、ウェイクアップＩＤが無線基地局１のＩＤに一致すると判定したとき、チャネル情報ＣＨ＿ｏｔｈｅｒ＿ｉｎｆｏによって指定されたチャネルＣＨ＿ｏｔｈｅｒで起動することを指示する起動信号ＤＲＶを生成し、その生成した起動信号ＤＲＶをメイン装置１４のホストシステム１４３へ出力する。一方、ウェイクアップ判定器１３２は、ウェイクアップＩＤが無線基地局１のＩＤに一致しないと判定したとき、その抽出したウェイクアップＩＤを破棄する。
【００６６】
無線通信モジュール１４１は、端末装置３〜６との間のデータ通信に使用されるチャネルＣＨ＿ｕｓｅをホストシステム１４３から受ける。
【００６７】
無線通信モジュール１４１は、ホストシステム１４３からコマンド信号ＣＯＭ１を受けると、起動状態からスリープ状態へ移行し、ホストシステム１４３からコマンド信号ＣＯＭ２を受けると、スリープ状態から起動状態へ移行する。なお、このスリープ状態は、無線通信モジュール１４１が動作を停止した状態である。
【００６８】
そして、無線通信モジュール１４１は、起動状態へ移行すると、無線基地局１が起動したことを端末装置３〜６へ通知するためのパケット（起動通知）を生成し、その生成したパケット（起動通知）をチャネルＣＨ＿ｕｓｅで端末装置３〜６へ送信する。
【００６９】
その後、無線通信モジュール１４１は、無線基地局１の状態ｓｔａｔｅを示す状態情報ｓｔａｔｅ＿ｉｎｆｏと、チャネルＣＨ＿ｕｓｅを示すチャネル情報ＣＨ＿ｕｓｅ＿ｉｎｆｏとをホストシステム１４３から受ける。そして、無線通信モジュール１４１は、チャネル情報ＣＨ＿ｕｓｅ＿ｉｎｆｏと状態情報ｓｔａｔｅ＿ｉｎｆｏとを含むビーコンフレームＢｅａｃｏｎを定期的に生成し、その生成したビーコンフレームＢｅａｃｏｎを定期的に送信する。その後、無線通信モジュール１４１は、端末装置３〜６のいずれかとの間で無線通信リンクを確立する。そして、無線通信モジュール１４１は、端末装置３〜６のいずれかと無線通信を行う。この場合、無線通信モジュール１４１は、端末装置３〜６のいずれかから受信したパケットからデータを取り出してホストシステム１４３へ出力し、ホストシステム１４３から受けたデータを含むパケットを生成して端末装置３〜６のいずれかへ送信する。
【００７０】
有線通信モジュール１４２は、有線ケーブル２０を介して他の通信装置からデータを受信し、その受信したデータをホストシステム１４３へ出力する。
【００７１】
また、有線通信モジュール１４２は、ホストシステム１４３からデータを受け、その受けたデータを有線ケーブル２０を介して他の通信装置へ送信する。
【００７２】
更に、有線通信モジュール１４２は、ホストシステム１４３からコマンド信号ＣＯＭ１を受けると、起動状態からスリープ状態へ移行し、ホストシステム１４３からコマンド信号ＣＯＭ２を受けると、スリープ状態から起動状態へ移行する。なお、このスリープ状態とは、パケットを受信できない状態である。
【００７３】
ホストシステム１４３は、一定の期間Ｔ１、端末装置３〜６からのパケットを無線通信モジュール１４１を介して受けないとき、または無線基地局１の通信範囲内に端末装置が存在しないとき、コマンド信号ＣＯＭ１を生成し、その生成したコマンド信号ＣＯＭ１を無線通信モジュール１４１および有線通信モジュール１４２へ出力するとともに、Ｌレベルの制御信号ＣＴＬを生成して切替器１２へ出力する。そして、ホストシステム１４３は、スリープ状態（＝停止状態）へ移行する。
【００７４】
また、ホストシステム１４３は、ウェイクアップ判定器１３２から起動信号ＤＲＶを受けると、スリープ状態から起動状態へ移行する。そして、ホストシステム１４３は、コマンド信号ＣＯＭ２を生成し、その生成したコマンド信号ＣＯＭ２を無線通信モジュール１４１および有線通信モジュール１４２へ出力するとともに、Ｈレベルの制御信号ＣＴＬを生成して切替器１２へ出力する。その後、ホストシステム１４３は、起動信号ＤＲＶによって指示されたチャネルＣＨ＿ｏｔｈｅｒを無線通信モジュール１４１へ出力する。
【００７５】
更に、ホストシステム１４３は、無線基地局１に接続している端末装置の台数Ｎを無線基地局１の負荷として検出し、その検出した台数Ｎに基づいて、後述する方法によって無線基地局１の状態ｓｔａｔｅを判定する。そして、ホストシステム１４３は、その判定した状態ｓｔａｔｅを示す状態情報ｓｔａｔｅ＿ｉｎｆｏを生成して無線通信モジュール１４１へ出力する。
【００７６】
更に、ホストシステム１４３は、無線通信モジュール１４１からデータを受けると、その受けたデータを有線通信モジュール１４２へ出力する。
【００７７】
更に、ホストシステム１４３は、有線通信モジュール１４２からデータを受けると、その受けたデータを無線通信モジュール１４１へ出力する。
【００７８】
なお、図１に示す無線基地局２も、図２に示す無線基地局１と同じ構成からなる。
【００７９】
また、無線基地局１，２の各々は、切替器１２を備えず、アンテナ１１に代えて、ウェイクアップ信号受信器１３１に接続されたアンテナと、無線通信モジュール１４１に接続されたアンテナとを備えていてもよい。この場合、ホストシステム１４３は、制御信号ＣＴＬを出力しない。
【００８０】
図３は、図１に示す端末装置３の構成図である。図３を参照して、端末装置３は、アンテナ３１と、無線通信モジュール３２と、ウェイクアップ信号送信器３３と、ホストシステム３４とを含む。
【００８１】
無線通信モジュール３２は、アンテナ３１を介して無線基地局１から起動通知をチャネルＣＨ＿ｕｓｅ１（チャネルＣＨ＿ｕｓｅの一種）で受信すると、チャネルＣＨ＿ｕｓｅ１を用いて無線基地局１との間で無線通信リンクを確立し、無線基地局１との間で無線通信を行う。
【００８２】
この場合、無線通信モジュール３２は、アンテナ３１を介して無線基地局１からパケットを受信し、その受信したパケットを復調してデータを取り出し、その取り出したデータをホストシステム３４へ出力する。また、無線通信モジュール３２は、ホストシステム３４からデータを受け、その受けたデータを含むパケットを生成し、その生成したパケットを無線ＬＡＮによる変調方式によって変調し、その変調したパケットをチャネルＣＨ＿ｕｓｅ１でアンテナ３１を介して無線基地局１へ送信する。
【００８３】
また、無線通信モジュール３２は、同様にして、チャネルＣＨ＿ｕｓｅ２（チャネルＣＨ＿ｕｓｅ１と異なるチャネルＣＨ＿ｕｓｅの一種）を用いて無線基地局２との間で無線通信リンクを確立するとともに無線基地局２との間で無線通信を行う。
【００８４】
更に、無線通信モジュール３２は、無線基地局１または無線基地局２からビーコンフレームＢｅａｃｏｎを受信し、その受信したビーコンフレームＢｅａｃｏｎをホストシステム３４へ出力する。
【００８５】
なお、無線通信モジュール３２は、無線基地局１または無線基地局２がデータ通信に使用するチャネルＣＨ＿ｕｓｅ１またはＣＨ＿ｕｓｅ２が起動通知に含まれている場合、即座に自己の通信チャネルをチャネルＣＨ＿ｕｓｅ１またはＣＨ＿ｕｓｅ２に設定し、その設定したチャネルＣＨ＿ｕｓｅ１またはＣＨ＿ｕｓｅ２を用いて無線基地局１または無線基地局２との間で無線通信リンクを確立し、無線基地局１または無線基地局２との間で無線通信を行う。
【００８６】
ウェイクアップ信号送信器３３は、チャネル情報ＣＨ＿ｏｔｈｅｒ＿ｉｎｆｏ、コマンド信号ＣＯＭ３およびＥＳＳＩＤ（またはＢＳＳＩＤ）をホストシステム３４から受けると、ＥＳＳＩＤ、ＢＳＳＩＤ、およびそれらのハッシュ値等のいずれかからなるウェイクアップＩＤを生成し、その生成したウェイクアップＩＤと、チャネル情報ＣＨ＿ｏｔｈｅｒ＿ｉｎｆｏとを含むウェイクアップ信号を生成する。なお、ウェイクアップＩＤは、端末装置３が起動させる無線基地局を示す情報である。
【００８７】
そして、ウェイクアップ信号送信器３３は、ウェイクアップ信号を伝送レートの低い変調方式、例えば、オンオフキーイングおよび特許文献２に記載のフレーム長変調等の変調方式によって変調し、その変調したウェイクアップ信号をアンテナ３１を介してチャネルＣＨ１〜ＣＨ３の全てでブロードキャストする。
【００８８】
この伝送レートの低い変調方式は、伝送レートが数十ｋｂｐｓ〜数百ｋｂｐｓである変調方式であり、通常の無線ＬＡＮに用いられる変調方式よりも伝送レートが低い。このように伝送レートが低い変調方式によってウェイクアップ信号を変調するのは、１００μＷという非常に低い電力で動作するウェイクアップ装置１３によってウェイクアップ信号を復調できるようにするためである。
【００８９】
ホストシステム３４は、無線通信モジュール３２がアンテナ３１を介して受信したビーコンフレームＢｅａｃｏｎを無線通信モジュール３２から受ける。そして、ホストシステム３４は、その受けたビーコンフレームＢｅａｃｏｎに含まれるＥＳＳＩＤまたはＢＳＳＩＤと、チャネル情報ＣＨ＿ｕｓｅ＿ｉｎｆｏと、状態情報ｓｔａｔｅ＿ｉｎｆｏとを取り出す。
【００９０】
ホストシステム３４は、その取り出したＥＳＳＩＤまたはＢＳＳＩＤに基づいて、端末装置３が帰属する無線基地局１または無線基地局２を管理する。
【００９１】
また、ホストシステム３４は、無線基地局１または無線基地局２からビーコンフレームＢｅａｃｏｎを受信しないとき、無線基地局１または無線基地局２がスリープ状態であると判定する。
【００９２】
更に、ホストシステム３４は、無線基地局１が起動状態であり、無線基地局２がスリープ状態であるときに、無線基地局１から受信した状態情報ｓｔａｔｅ＿ｉｎｆｏに基づいて、無線基地局１の状態が過負荷状態であるか否かを判定する。ホストシステム３４は、無線基地局１の状態が過負荷状態であると判定したとき、チャネル情報ＣＨ＿ｏｔｈｅｒ＿ｉｎｆｏ、コマンド信号ＣＯＭ３およびＥＳＳＩＤ（またはＢＳＳＩＤ）をウェイクアップ信号送信器３３へ出力する。
【００９３】
更に、ホストシステム３４は、無線通信モジュール３２からデータを受けるとともに、データを生成して無線通信モジュール３２へ出力する。
【００９４】
なお、図１に示す端末装置４〜６の各々も、図３に示す端末装置３と同じ構成からなる。
【００９５】
図４は、無線基地局１，２の状態を定義する例を示す図である。図４を参照して、無線基地局１，２の情報は、例えば、低負荷、中負荷、高負荷および過負荷からなる。
【００９６】
低負荷は、無線基地局１，２がスリープ状態への遷移を要求する状態であり、ビット値“００”からなる状態情報ｓｔａｔｅ＿ｉｎｆｏによって表される。
【００９７】
中負荷は、無線基地局１，２に接続可能な状態であり、ビット値“０１”からなる状態情報ｓｔａｔｅ＿ｉｎｆｏによって表される。そして、中負荷は、より具体的には、無線基地局１，２がスリープ状態へ移行すると、困る端末装置が存在する状態である。
【００９８】
高負荷は、無線基地局１，２が接続を許容する状態であり、ビット値“１０”からなる状態情報ｓｔａｔｅ＿ｉｎｆｏによって表される。
【００９９】
過負荷は、無線基地局１，２に接続できない状態であり、ビット値“１１”からなる状態情報ｓｔａｔｅ＿ｉｎｆｏによって表される。即ち、過負荷は、無線基地局１，２が自己への接続を拒否する状態である。
【０１００】
図５は、状態情報と接続台数との対応表を示す図である。図５を参照して、対応表ＴＢＬは、状態情報ｓｔａｔｅ＿ｉｎｆｏと、接続台数Ｎとを含む。状態情報ｓｔａｔｅ＿ｉｎｆｏおよび接続台数Ｎは、相互に対応付けられる。
【０１０１】
Ｎ≦１は、“００”からなる状態情報ｓｔａｔｅ＿ｉｎｆｏに対応付けられる。Ｎ＝２〜４は、“０１”からなる状態情報ｓｔａｔｅ＿ｉｎｆｏに対応付けられる。Ｎ＝５〜７は、“１０”からなる状態情報ｓｔａｔｅ＿ｉｎｆｏに対応付けられる。Ｎ≧８は、“１１”からなる状態情報ｓｔａｔｅ＿ｉｎｆｏに対応付けられる。
【０１０２】
無線基地局１，２のホストシステム１４３は、対応表ＴＢＬを予め保持している。そして、ホストシステム１４３は、無線基地局１（または無線基地局２）に接続している端末装置の台数Ｎを検出すると、対応表ＴＢＬを参照して、その検出した台数Ｎに基づいて無線基地局１（または無線基地局２）の状態を示す状態情報ｓｔａｔｅ＿ｉｎｆｏを検出する。つまり、ホストシステム１４３は、検出した台数Ｎ（＝負荷）に応じて無線基地局１（または無線基地局２）の状態を決定する。
【０１０３】
また、端末装置３〜６のホストシステム３４は、ビーコンフレームＢｅａｃｏｎに含まれる状態情報ｓｔａｔｅ＿ｉｎｆｏが“１１”からなる場合、無線基地局１（または無線基地局２）の状態が過負荷状態であると判定し、チャネル情報ＣＨ＿ｏｔｈｅｒ＿ｉｎｆｏ、コマンド信号ＣＯＭ３およびＥＳＳＩＤ（またはＢＳＳＩＤ）をウェイクアップ信号送信器３３へ出力する。
【０１０４】
図６は、図１に示す無線通信システム１０において無線基地局を起動状態へ移行させる動作を説明するためのフローチャートである。
【０１０５】
なお、図６においては、端末装置３が無線基地局１を起動状態へ移行させる場合を例にして無線基地局を起動状態へ移行させる動作を説明する。
【０１０６】
図６を参照して、一連の動作が開始されると、無線基地局１のホストシステム１４３は、スリープ状態へ移行するか否かを判定する（ステップＳ１）。より具体的には、無線基地局１のホストシステム１４３は、一定の期間Ｔ１、端末装置３〜６との間で無線通信が行われていないとき、または無線基地局１に接続している端末装置が存在しないとき、スリープ状態へ移行すると判定する。また、無線基地局１のホストシステム１４３は、一定の期間Ｔ１内に、端末装置３〜６との間で無線通信が行われているとき、または無線基地局１に接続している端末装置が存在するとき、スリープ状態へ移行しないと判定する。
【０１０７】
ステップＳ１において、スリープ状態へ移行すると判定されたとき、無線基地局１のホストシステム１４３は、コマンド信号ＣＯＭ１を生成して無線通信モジュール１４１および有線通信モジュール１４２へ出力するとともに、Ｌレベルの信号からなる制御信号ＣＴＬを生成して切替器１２へ出力し、自己の動作を停止する。そして、無線基地局１の切替器１２は、Ｌレベルの制御信号ＣＴＬに応じてアンテナ１１を端子１２２に接続する。また、無線基地局１の無線通信モジュール１４１および有線通信モジュール１４２は、コマンド信号ＣＯＭ１に応じて、動作を停止する。即ち、ステップＳ１において、スリープ状態へ移行すると判定されたとき、メイン装置１４が停止する（ステップＳ２）。
【０１０８】
そして、ウェイクアップ装置１３のウェイクアップ信号受信器１３１は、チャネルＣＨ１〜ＣＨ３のいずれかでウェイクアップ信号を待ち受ける（ステップＳ３）。
【０１０９】
その後、端末装置３のホストシステム３４は、無線基地局１からビーコンフレームＢｅａｃｏｎを受信しないことを検知する（ステップＳ４）。即ち、端末装置３のホストシステム３４は、無線基地局１がスリープ状態であることを検知する。そして、端末装置３のホストシステム３４は、無線通信を開始するか否かを判定する（ステップＳ５）。
【０１１０】
ステップＳ５において、無線通信を開始すると判定されたとき、端末装置３のホストシステム３４は、起動させたい無線基地局１のＥＳＳＩＤ（またはＢＳＳＩＤ）とコマンド信号ＣＯＭ３とをウェイクアップ信号送信器３３へ出力する。そして、端末装置３のウェイクアップ信号送信器３３は、コマンド信号ＣＯＭ３を受けると、ＥＳＳＩＤ（またはＢＳＳＩＤ）に基づいて、起動させたい無線基地局１を示すウェイクアップＩＤを生成し、その生成したウェイクアップＩＤを含むウェイクアップ信号を生成する（ステップＳ６）。
【０１１１】
そして、端末装置３のウェイクアップ信号送信器３３は、伝送レートの低い変調方式によってウェイクアップ信号を変調し、その変調したウェイクアップ信号をアンテナ３１を介して全チャネルＣＨ１〜ＣＨ３または事前に決定されたチャネルで無線基地局１へ送信する（ステップＳ７）。
【０１１２】
そうすると、無線基地局１のウェイクアップ信号受信器１３１は、アンテナ１１を介してウェイクアップ信号をチャネルＣＨ１〜ＣＨ３のいずれかで受信し（ステップＳ８）、その受信したウェイクアップ信号を復調する。そして、無線基地局１のウェイクアップ信号受信器１３１は、その復調したウェイクアップ信号をウェイクアップ判定器１３２へ出力する。
【０１１３】
無線基地局１のウェイクアップ判定器１３２は、復調されたウェイクアップ信号からウェイクアップＩＤを取り出し、その取り出したウェイクアップＩＤが無線基地局１のＩＤに一致するか否かを判定する（ステップＳ９）。
【０１１４】
ステップＳ９において、ウェイクアップＩＤが無線基地局１のＩＤに一致しないと判定されたとき、一連の動作は、ステップＳ３へ戻る。
【０１１５】
一方、ステップＳ９において、ウェイクアップＩＤが無線基地局１のＩＤに一致すると判定されたとき、無線基地局１のウェイクアップ判定器１３２は、起動信号を生成してホストシステム１４３へ出力する。そして、無線基地局１のホストシステム１４３は、ウェイクアップ判定器１３２からの起動信号に応じてスリープ状態から起動状態へ移行し、コマンド信号ＣＯＭ２を生成して無線通信モジュール１４１および有線通信モジュール１４２へ出力する。そして、無線基地局１の無線通信モジュール１４１および有線通信モジュール１４２は、コマンドＣＯＭ２に応じてスリープ状態から起動状態へ移行する。このように、無線基地局１のメイン装置１４は、ウェイクアップ装置１３からの起動信号に応じて、スリープ状態から起動状態へ移行する（ステップＳ１０）。
【０１１６】
そうすると、無線基地局１の無線通信モジュール１４１は、チャネルＣＨ＿ｕｓｅを含む起動通知を生成し、その生成した起動通知をチャネルＣＨ＿ｕｓｅでアンテナ１１を介して端末装置３へ送信する（ステップＳ１１)。
【０１１７】
そして、端末装置３の無線通信モジュール３２は、アンテナ３１を介してチャネルＣＨ１〜ＣＨ３のいずれかで起動通知を受信し（ステップＳ１２）、その受信した起動通知をホストシステム３４へ出力する。その後、端末装置３のホストシステム３４は、無線通信モジュール３２からの起動通知に応じて、無線基地局１がスリープ状態から起動状態へ移行したことを検知するとともに、起動通知に含まれるチャネルＣＨ＿ｕｓｅを取り出す。そして、端末装置３のホストシステム３４は、その取り出したチャネルＣＨ＿ｕｓｅを無線通信モジュール３２へ出力する。
【０１１８】
そうすると、無線基地局１の無線通信モジュール１４１は、端末装置３との間で無線通信リンクを確立するための無線通信をチャネルＣＨ＿ｕｓｅで開始し、端末装置３は、チャネルＣＨ＿ｕｓｅを用いて無線基地局１との間で無線通信リンクを確立し、無線通信を行う（ステップＳ１３）。
【０１１９】
なお、端末装置３の無線通信モジュール３２は、ウェイクアップ信号を無線基地局１へ送信した後、起動通知を無線基地局１から受信しないとき、チャネルをスキャンしてビーコンフレームＢｅａｃｏｎを受信することによって無線基地局１が起動したことを検知する。そして、ビーコンフレームＢｅａｃｏｎは、チャネルＣＨ＿ｕｓｅを含むので、端末装置３の無線通信モジュール３２は、チャネルＣＨ＿ｕｓｅを用いて無線基地局１との間で無線通信を行うことができる。
【０１２０】
また、ステップＳ１において、スリープ状態へ移行しないと判定されたとき、一連の動作は、ステップＳ１３へ移行する。
【０１２１】
そして、ステップＳ１３の後、またはステップＳ５において、無線通信を開始しないと判定されたとき、一連の動作は、終了する。
【０１２２】
なお、端末装置３が無線基地局２を起動状態へ移行させる動作、および端末装置４〜６が無線基地局１，２を起動状態へ移行させる動作も、図６に示すフローチャートに従って実行される。
【０１２３】
図７は、２台の無線基地局１，２のいずれか一方が起動状態であるときの無線通信システム１０における動作を説明するためのフローチャートである。
【０１２４】
図７においては、無線基地局１が起動状態であり、無線基地局２がスリープ状態であることを前提とする。また、端末装置３〜６の全てが無線基地局１と接続していることを前提とする。
【０１２５】
図７を参照して、一連の動作が開始されると、無線基地局１のホストシステム１４３は、無線基地局１に接続している端末装置の台数Ｎを無線基地局１の負荷として検出する。即ち、無線基地局１のホストシステム１４３は、負荷を検出する（ステップＳ２１）。
【０１２６】
そして、無線基地局１のホストシステム１４３は、対応表ＴＢＬを参照して、その検出した負荷に応じて無線基地局１の状態を決定する（ステップＳ２２）。
【０１２７】
その後、無線基地局１のホストシステム１４３は、無線基地局１の状態が過負荷状態であるか否かを判定する（ステップＳ２３）。より具体的には、無線基地局１のホストシステム１４３は、決定した状態が“１１”からなる状態情報ｓｔａｔｅ＿ｉｎｆｏによって表されているか否かを判定することによって、無線基地局１の状態が過負荷状態であるか否かを判定する。
【０１２８】
ステップＳ２３において、無線基地局１の状態が過負荷状態であると判定されたとき、無線基地局１のホストシステム１４３は、チャネルＣＨ＿ｕｓｅを示すチャネル情報ＣＨ＿ｕｓｅ＿ｉｎｆｏと、過負荷状態を示す状態情報ｓｔａｔｅ＿ｉｎｆｏとを無線通信モジュール１４１へ出力する。そして、無線基地局１の無線通信モジュール１４１は、チャネル情報ＣＨ＿ｕｓｅ＿ｉｎｆｏと状態情報ｓｔａｔｅ＿ｉｎｆｏとをホストシステム１４３から受け、その受けたチャネル情報ＣＨ＿ｕｓｅ＿ｉｎｆｏと状態情報ｓｔａｔｅ＿ｉｎｆｏとを含むビーコンフレームＢｅａｃｏｎを生成し、その生成したビーコンフレームＢｅａｃｏｎをチャネルＣＨ＿ｕｓｅでブロードキャストする（ステップＳ２４）。
【０１２９】
そうすると、端末装置ＳＴＡ（端末装置３〜６の少なくとも１つ）の無線通信モジュール３２は、ビーコンフレームＢｅａｃｏｎを受信し（ステップＳ２５）、その受信したビーコンフレームＢｅａｃｏｎをホストシステム３４へ出力する。
【０１３０】
端末装置ＳＴＡのホストシステム３４は、ビーコンフレームＢｅａｃｏｎからチャネル情報ＣＨ＿ｕｓｅ＿ｉｎｆｏと状態情報ｓｔａｔｅ＿ｉｎｆｏとを取り出し、その取り出した状態情報ｓｔａｔｅ＿ｉｎｆｏに基づいて、過負荷状態を示す状態情報ｓｔａｔｅ＿ｉｎｆｏを受信したか否かを判定する（ステップＳ２６）。
【０１３１】
ステップＳ２６において、過負荷状態を示す状態情報ｓｔａｔｅ＿ｉｎｆｏを受信したと判定されたとき、端末装置ＳＴＡのホストシステム３４は、チャネル情報ＣＨ＿ｕｓｅ＿ｉｎｆｏで示されるチャネルＣＨ＿ｕｓｅ以外のチャネルＣＨ＿ｏｔｈｅｒを示すチャネルＣＨ＿ｏｔｈｅｒ＿ｉｎｆｏと、コマンド信号ＣＯＭ３と、無線基地局２のＥＳＳＩＤ（またはＢＳＳＩＤ）とをウェイクアップ信号送信器３３へ出力する。
【０１３２】
端末装置ＳＴＡのウェイクアップ信号送信器３３は、チャネル情報ＣＨ＿ｏｔｈｅｒ＿ｉｎｆｏ、コマンド信号ＣＯＭ３およびＥＳＳＩＤ（またはＢＳＳＩＤ）をホストシステム３４から受け、その受けたＥＳＳＩＤ（またはＢＳＳＩＤ）に基づいて、無線基地局２のウェイクアップＩＤを生成する。
【０１３３】
そして、端末装置ＳＴＡのウェイクアップ信号送信器３３は、チャネル情報ＣＨ＿ｏｔｈｅｒ＿ｉｎｆｏと無線基地局２のウェイクアップＩＤとを含むウェイクアップ信号を生成し、その生成したウェイクアップ信号をアンテナ３１を介して送信する（ステップＳ２７）。
【０１３４】
その後、端末装置ＳＴＡのホストシステム３４は、チャネルＣＨ＿ｏｔｈｅｒで無線基地局２が起動したか否かを判定する（ステップＳ２８）。
【０１３５】
ステップＳ２８において、チャネルＣＨ＿ｏｔｈｅｒで無線基地局２が起動しなかったと判定されたとき、一連の動作は、ステップＳ２７へ移行し、ステップＳ２７，Ｓ２８が繰り返し実行される。
【０１３６】
そして、ステップＳ２８において、チャネルＣＨ＿ｏｔｈｅｒで無線基地局２が起動したと判定されたとき、端末装置ＳＴＡの無線通信モジュール３２は、チャネルＣＨ＿ｏｔｈｅｒで無線基地局２と接続する（ステップＳ２９）。即ち、端末装置ＳＴＡの無線通信モジュール３２は、チャネルＣＨ＿ｏｔｈｅｒで無線基地局２と無線リンクを確立する。
【０１３７】
そして、ステップＳ２９の後、またはステップＳ２３において、無線基地局１の状態が過負荷状態でないと判定されたとき、またはステップＳ２６において、過負荷情報を示す状態情報ｓｔａｔｅ＿ｉｎｆｏを受信しなかったと判定されたとき、一連の動作は、終了する。
【０１３８】
このように、端末装置３〜６の少なくとも１つは、無線基地局１の状態が過負荷状態であると判定したとき、無線基地局１と異なる無線基地局２をスリープ状態から起動状態へ移行させ、起動状態へ移行した無線基地局２に接続する。即ち、端末装置３〜６の少なくとも１つは、無線基地局１の状態が過負荷状態であると判定したとき、接続先を無線基地局１から無線基地局２へ切り替える。また、無線基地局２は、無線基地局１が使用しているチャネルＣＨ＿ｕｓｅと異なるチャネルＣＨ＿ｏｔｈｅｒで起動する。
【０１３９】
その結果、無線基地局１に接続されている端末装置の台数が減少するとともに、無線基地局１のネットワークと無線基地局２のネットワークとの間の干渉が抑制される。従って、干渉を低減し、かつ、無線基地局１の負荷を分散できる。
【０１４０】
なお、無線基地局１がスリープ状態であり、無線基地局２が起動状態である場合も、図７に示すフローチャートに従って、無線基地局２に接続されている端末装置の台数が減少されるとともに、無線基地局１のネットワークと無線基地局２のネットワークとの間の干渉が抑制される。この場合、図７の説明における「無線基地局１」を「無線基地局２」に読み替え、「無線基地局２」を「無線基地局１」に読み替えればよい。
【０１４１】
図８は、図７に示すフローチャートによって実行される負荷分散の概念図である。無線基地局１が起動状態であり、無線基地局２がスリープ状態である場合において、端末装置３〜６が無線基地局１に接続している。そして、無線基地局１は、チャネルＣＨ＿ｕｓｅ（＝例えば、ＣＨ１）で端末装置３〜６と無線通信を行っている（図８の（ａ）参照）。
【０１４２】
このような状況において、無線基地局１は、自己に接続している端末装置の台数Ｎを負荷として検出し、自己の状態が過負荷状態であると判定する（ステップＳ２１，Ｓ２２，Ｓ２３の“ＹＥＳ”参照）。
【０１４３】
そうすると、無線基地局１は、チャネルＣＨ＿ｕｓｅ（＝ＣＨ１）を示すチャネル情報ＣＨ＿ｕｓｅ＿ｉｎｆｏと、過負荷状態を示す状態情報ｓｔａｔｅ＿ｉｎｆｏとを含むビーコンフレームＢｅａｃｏｎを生成してブロードキャストする（ステップＳ２４参照）。そして、端末装置３〜６は、無線基地局１からビーコンフレームＢｅａｃｏｎを受信し、その受信したビーコンフレームＢｅａｃｏｎの状態情報ｓｔａｔｅ＿ｉｎｆｏに基づいてチャネルＣＨ１が過負荷状態であることを検知する。即ち、無線基地局１は、チャネルＣＨ１が過負荷状態であることを検知し、その情報を端末装置３〜６と共有する。
【０１４４】
その後、端末装置３〜６のうち、例えば、端末装置６は、チャネルＣＨ＿ｕｓｅ（＝ＣＨ１）以外のチャネルＣＨ＿ｏｔｈｅｒ（例えば、ＣＨ２）を示すチャネル情報ＣＨ＿ｏｔｈｅｒ＿ｉｎｆｏと無線基地局２のウェイクアップＩＤとを含むウェイクアップ信号を送信する（ステップＳ２７参照）。即ち、端末装置６は、無線基地局２に対して、チャネルＣＨ２でのウェイクアップを指示する。
【０１４５】
そうすると、無線基地局２は、端末装置６からのウェイクアップ信号を受信し、ウェイクアップ信号に含まれるチャネル情報ＣＨ＿ｏｔｈｅｒ＿ｉｎｆｏとウェイクアップＩＤとに基づいてチャネルＣＨ２でウェイクアップする（起動状態へ移行する）。
【０１４６】
端末装置６は、無線基地局２がチャネルＣＨ２でウェイクアップすると、チャネルＣＨ２で無線基地局２と接続し（ステップＳ２９参照）、接続先を無線基地局１から無線基地局２へ切り替える。
【０１４７】
そして、無線基地局１は、チャネルＣＨ１で端末装置３〜５と無線通信を行い、無線基地局２は、チャネルＣＨ２で端末装置６と無線通信を行う（図８の（ｂ）参照）。
【０１４８】
従って、無線基地局１のネットワークと無線基地局２のネットワークとの干渉を低減し、無線基地局１の負荷を分散できる。
【０１４９】
上記においては、チャネルＣＨ＿ｕｓｅ（＝ＣＨ１）を示すチャネル情報ＣＨ＿ｕｓｅ＿ｉｎｆｏと、過負荷状態を示す状態情報ｓｔａｔｅ＿ｉｎｆｏとを含むビーコンフレームＢｅａｃｏｎを無線基地局１から受信した端末装置３〜６のうち、端末装置６が無線基地局２に対して、チャネルＣＨ２でのウェイクアップを指示すると説明した。しかし、実際には、端末装置３〜６の全てがチャネルＣＨ２でのウェイクアップを試行する。この場合、端末装置３〜６は、ＣＳＭＡ／ＣＡ方式によって、チャネルＣＨ２を示すチャネル情報と、無線基地局２のウェイクアップＩＤとを含むウェイクアップ信号を送信する。従って、端末装置３〜６のうち、最も早くウェイクアップ信号を送信した端末装置（端末装置３〜６のいずれか）が無線基地局２に対してチャネルＣＨ２でのウェイクアップを指示することになる。
【０１５０】
図９は、負荷集約処理および負荷分散処理の動作を説明するためのフローチャートである。
【０１５１】
なお、図９に示すフローチャートは、２台の無線基地局１，２の両方が起動状態であるときに実行される。また、端末装置３を例にして負荷集約処理および負荷分散処理の動作を説明する。
【０１５２】
図９を参照して、一連の動作が開始されると、端末装置３のホストシステム３４は、一定時間Ｔｏが経過したことを検知する（ステップＳ３１）。なお、一定時間Ｔｏは、例えば、１分（６０秒）である。
【０１５３】
その後、端末装置３の無線通信モジュール３２は、全てのチャネルＣＨ１〜ＣＨ３におけるスキャン、即ち、バックグラウンドスキャンを行う（ステップＳ３２）。
【０１５４】
そして、端末装置３の無線通信モジュール３２は、バックグラウンドスキャンを行ったときの受信信号強度ＲＳＳＩを検出し、その検出した受信信号強度ＲＳＳＩをホストシステム３４へ出力する。
【０１５５】
端末装置３のホストシステム３４は、無線通信モジュール３２から受けた受信信号強度ＲＳＳＩが一定値（＝例えば、−７０ｄＢｍ）以上であるか否かを判定する（ステップＳ３３）。
【０１５６】
ステップＳ３３において、受信信号強度ＲＳＳＩが一定値以上であると判定されたとき、端末装置３のホストシステム３４は、接続ＡＰ（＝現在、接続している無線基地局）から受信したビーコンフレームＢｅａｃｏｎに含まれている状態情報ｓｔａｔｅ＿ｉｎｆｏを構成するビット値（＝ＳＴ値）を判定する（ステップＳ３４）。
【０１５７】
ステップＳ３４において、ＳＴ値が“００”であると判定されたとき、端末装置３のホストシステム３４は、遷移ＡＰ（遷移先の無線基地局）から受信したビーコンフレームＢｅａｃｏｎに含まれている状態情報ｓｔａｔｅ＿ｉｎｆｏを構成するビット値（＝ＳＴ値）を更に判定する（ステップＳ３５）。
【０１５８】
ステップＳ３５において、ＳＴ値が“００”であると判定されたとき、端末装置３のホストシステム３４は、０〜１の一様乱数を発生し、その発生した乱数をｒに格納する（ステップＳ３６）。
【０１５９】
そうすると、端末装置３のホストシステム３４は、ｒが負荷集約確率ＰＡ以下であるか否かを判定する（ステップＳ３７）。なお、負荷集約確率ＰＡは、例えば、０．５に設定される。
【０１６０】
ステップＳ３７において、ｒが負荷集約確率ＰＡ以下であると判定されたとき、端末装置３は、遷移処理を行う（ステップＳ４２）。即ち、端末装置３のホストシステム３４は、現在、接続している無線基地局との接続を切り、遷移先の無線基地局に接続するように無線通信モジュール３２を制御し、無線通信モジュール３２は、ホストシステム３４からの制御に従って、遷移先の無線基地局に接続する。
【０１６１】
一方、ステップＳ３５において、遷移ＡＰのＳＴ値が“０１”であると判定されたとき、一連の動作は、ステップＳ４２へ移行する。
【０１６２】
一方、ステップＳ３４において、接続ＡＰのＳＴ値が“１０”または“１１”であると判定されたとき、端末装置３のホストシステム３４は、遷移ＡＰのＳＴ値を判定する（ステップＳ３８）。
【０１６３】
ステップＳ３８において、遷移ＡＰのＳＴ値が“００”または“０１”であると判定されたとき、端末装置３のホストシステム３４は、接続ＡＰに接続されている端末装置の台数（＝接続ＡＰ＿Ｕ）と遷移ＡＰに接続されている端末装置の台数（＝遷移ＡＰ＿Ｕ）との差ΔＵを演算し、その演算した差ΔＵがしきい値Ｕｄ（＝例えば、２）以上であるか否かを更に判定する（ステップＳ３９）。
【０１６４】
端末装置３のホストシステム３４は、接続ＡＰおよび遷移ＡＰの両方から状態情報ｓｔａｔｅ＿ｉｎｆｏを受信する。また、接続ＡＰから受信された状態情報ｓｔａｔｅ＿ｉｎｆｏは、接続ＡＰに接続している端末装置の台数を示し、遷移ＡＰから受信された状態情報ｓｔａｔｅ＿ｉｎｆｏは、遷移ＡＰに接続している端末装置の台数を示す（対応表ＴＢＬ参照）。従って、端末装置３のホストシステム３４は、接続ＡＰに接続されている端末装置の台数（＝接続ＡＰ＿Ｕ）と遷移ＡＰに接続されている端末装置の台数（＝遷移ＡＰ＿Ｕ）との差ΔＵを演算できる。
【０１６５】
ステップＳ３９において、差ΔＵがしきい値Ｕｄ以上であると判定されたとき、端末装置３のホストシステム３４は、０〜１の一様乱数を発生し、その発生した乱数をｒに格納する（ステップＳ４０）。
【０１６６】
そして、端末装置３のホストシステム３４は、ｒが負荷分散確率ＰＢ以下であるか否かを判定する（ステップＳ４１）。なお、負荷分散確率ＰＢは、例えば、０．３に設定される。
【０１６７】
ステップＳ４１において、ｒが負荷分散確率ＰＢ以下であると判定されたとき、端末装置３は、遷移処理を行う（ステップＳ４２）。即ち、端末装置３のホストシステム３４は、現在、接続している無線基地局との接続を切り、遷移先の無線基地局に接続するように無線通信モジュール３２を制御し、無線通信モジュール３２は、ホストシステム３４からの制御に従って、遷移先の無線基地局に接続する。
【０１６８】
ステップＳ４２の後、端末装置３のホストシステム３４は、一定時間Ｔｅ、分散および集約機能を停止する（ステップＳ４３）。なお、一定時間Ｔｅは、例えば、１０分である。
【０１６９】
そして、ステップＳ４３の後、またはステップＳ３３において、受信信号強度ＲＳＳＩが一定値以上でないと判定されたとき、またはステップＳ３４において、接続ＡＰのＳＴ値が“０１”であると判定されたとき、またはステップＳ３５において、遷移ＡＰのＳＴ値が“００”および“０１”以外であると判定されたとき、またはステップＳ３７において、ｒが負荷集約確率ＰＡ以下でないと判定されたとき、またはステップＳ３８において、遷移ＡＰのＳＴ値が“００”および“０１”以外であると判定されたとき、またはステップＳ３９において、差ΔＵがしきい値Ｕｄ以上でないと判定されたとき、またはステップＳ４１において、ｒが負荷分散確率ＰＢ以下でないと判定されたとき、一連の動作は、終了する。
【０１７０】
なお、図９に示すフローチャートは、定期的に実行される。即ち、図９に示すフローチャートは、一定時間Ｔｏ毎に実行される。
【０１７１】
図１０は、負荷集約処理の概念図である。無線基地局１，２の両方が起動状態であり、端末装置３が無線基地局１に接続されており、端末装置６が無線基地局２に接続されている（図１０の（ａ）参照）。
【０１７２】
このような状況において、例えば、端末装置３が図９に示すフローチャートを実行すると、端末装置３は、ステップＳ３４において、接続ＡＰ（＝無線基地局１）のＳＴ値を判定し、ＳＴ値が“００”であると判定する。
【０１７３】
そして、端末装置３は、ステップＳ３５において、遷移ＡＰ（＝無線基地局２）のＳＴ値を判定し、ＳＴ値が“００”であると判定する。
【０１７４】
その後、端末装置３は、０〜１の一様乱数を発生し、その発生した乱数をｒに格納し（ステップＳ３６参照）、ｒが負荷集約確率ＰＡ以下であると判定する（ステップＳ３７参照）。
【０１７５】
そうすると、端末装置３は、遷移処理を行い（ステップＳ４２参照）、接続先を無線基地局１から無線基地局２へ切り替える。
【０１７６】
また、端末装置３は、ステップＳ３５において、遷移ＡＰ（＝無線基地局２）のＳＴ値が“０１”であると判定すると、遷移処理を行い（ステップＳ４２参照）、接続先を無線基地局１から無線基地局２へ切り替える。
【０１７７】
その結果、無線基地局１は、自己に接続されている端末装置が無いので、スリープ状態へ移行する。また、端末装置３，６が無線基地局２に接続されるので、負荷が無線基地局２に集約される（図１０の（ｂ）参照）。
【０１７８】
従って、図９のステップＳ３４→ステップＳ３５→ステップＳ３６→ステップＳ３７→ステップＳ４２からなる経路またはステップＳ３４→ステップＳ３５→ステップＳ４２からなる経路は、負荷を集約する負荷集約処理を実行する経路である。
【０１７９】
ステップＳ３５において、遷移ＡＰ（＝無線基地局２）のＳＴ値が“０１”であると判定されると、負荷集約確率ＰＡを用いずに遷移処理（ステップＳ４２）を行うのは、遷移ＡＰ（＝無線基地局２）の負荷が中負荷であり、遷移ＡＰ（＝無線基地局２）に接続された端末装置が同時に負荷集約処理を実行する可能性が無いからである。
【０１８０】
上記においては、端末装置３が負荷集約処理を実行する場合について説明したが、端末装置６が負荷集約処理を行ってもよい。即ち、端末装置３，６のいずれかが負荷集約処理を実行すればよい。端末装置３，６は、ＣＳＭＡ／ＣＡ方式によって無線基地局１または無線基地局２と無線通信を行うので、端末装置３，６が並行して負荷集約処理を実行しても、遷移処理（ステップＳ４２）において、より早く遷移ＡＰとの通信を開始した端末装置（端末装置３，６のいずれか）が接続先を遷移ＡＰに切り替えることになるので、無線基地局１，２のいずれか一方に端末装置３，６が接続され、無線基地局１，２のいずれか他方には、端末装置が接続されていない状態を実現できる。
【０１８１】
従って、負荷集約処理を実行することにより、無線基地局１，２のいずれか一方がスリープ状態へ移行するので、無線通信システム１０における消費電力を低減できる。
【０１８２】
図１１は、負荷分散処理の概念図である。無線基地局１，２の両方が起動状態であり、端末装置３〜５が無線基地局１に接続されており、端末装置６が無線基地局２に接続されている（図１１の（ａ）参照）。
【０１８３】
このような状況において、例えば、端末装置５が図９に示すフローチャートを実行すると、端末装置５は、図９のステップＳ３４において、接続ＡＰ（＝無線基地局１）のＳＴ値を“１０”または“１１”と判定し、ステップＳ３８において、遷移ＡＰ（＝無線基地局２）のＳＴ値を“００”または“０１”であると判定する。そして、端末装置５は、ステップＳ３９において、接続ＡＰ（＝無線基地局１）に接続されている端末装置の台数（＝３台）と遷移ＡＰ（＝無線基地局２）に接続されている端末装置の台数（＝１台）との差ΔＵ（＝２台）がＵｄ（＝２）以上であると判定する。即ち、端末装置５は、ステップＳ３９において、差ΔＵ（＝２台）が複数台であると判定する。その後、端末装置５は、０〜１の一様乱数を発生し、その発生した乱数をｒに格納し（ステップＳ４０参照）、ｒが負荷分散確率ＰＢ以下であると判定する（ステップＳ４１参照）。
【０１８４】
そうすると、端末装置５は、遷移処理を行い（ステップＳ４２参照）、接続先を無線基地局１から無線基地局２へ切り替える。
【０１８５】
その結果、端末装置３，４が無線基地局１に接続され、端末装置５，６が無線基地局２に接続され、無線基地局１の負荷が無線基地局２に分散される（図１１の（ｂ）参照）。
【０１８６】
従って、ステップＳ３８→ステップＳ３９→ステップＳ４０→ステップＳ４１→ステップＳ４２からなる経路は、負荷を分散する負荷分散処理を実行する経路である。
【０１８７】
上記においては、端末装置５が負荷分散処理を行う場合について説明したが、端末装置３〜５のいずれかが負荷分散処理を実行すればよい。端末装置３〜５は、ＣＳＭＡ／ＣＡ方式によって無線基地局１または無線基地局２と無線通信を行うので、端末装置３〜５が並行して負荷分散処理を実行しても、遷移処理（ステップＳ４２）において、より早く遷移ＡＰとの通信を開始した端末装置（端末装置３〜５のいずれか）が接続先を遷移ＡＰに切り替えることになるので、無線基地局１，２にそれぞれ２台の端末装置が接続された状態を実現できる。
【０１８８】
従って、負荷分散処理を実行することによって、遷移ＡＰ（＝無線基地局２）の負荷が過負荷になるのを防止して接続ＡＰ（＝無線基地局１）の負荷を低減できる。
【０１８９】
なお、差ΔＵが“２”（＝Ｕｄ）以上である場合に遷移処理を行う（ステップＳ３９の“ＹＥＳ”→ステップＳ４２）のは、差ΔＵが“１”である場合、無線基地局１に接続された端末装置が負荷分散処理を実行すると、無線基地局１に接続された端末装置の台数と無線基地局２に接続された端末装置の台数が逆転するだけで、無線基地局２に接続された端末装置が、再度、負荷分散処理を実行し、負荷分散処理が繰り返される事態が生じるためである。
【０１９０】
また、ステップＳ３４において、接続ＡＰのＳＴ値が“０１”であると判定されたとき、一連の動作が終了するのは、負荷分散処理を実行しなくても、接続ＡＰの負荷が過負荷にならず、接続ＡＰがスリープ状態への遷移を要求していないからである。
【０１９１】
更に、ステップＳ３５において、遷移ＡＰのＳＴ値が“００”および“０１”以外であると判定されたとき、一連の動作が終了するのは、遷移ＡＰに負荷を集約すると、遷移ＡＰの負荷が高負荷または過負荷になるので、これを防止するためである。
【０１９２】
更に、ステップＳ３８において、遷移ＡＰのＳＴ値が“００”および“０１”以外であると判定されたとき、一連の動作が終了するのは、遷移ＡＰに負荷を分散すると、遷移ＡＰの負荷が高負荷または過負荷になるので、これを防止するためである。
【０１９３】
更に、ステップＳ４３において、一定時間Ｔｅ、分散および集約機能を停止するのは、遷移処理を行った後（ステップＳ４２参照）、直ぐに、負荷分散処理または負荷集約処理を実行しても、無線基地局１，２に接続された端末装置の個数が変化していないことも想定され、その場合に、頻繁に負荷分散処理または負荷集約処理を実行することを防ぐためである。
【０１９４】
上述したように、無線基地局１が起動状態であり、無線基地局２がスリープ状態であるときに、無線基地局１が無線通信に使用しているチャネルＣＨ＿ｕｓｅが過負荷状態であることを検知すると、チャネルＣＨ＿ｕｓｅが過負荷状態であることを無線基地局１および端末装置３〜６で共有し、端末装置３〜６のいずれかが、チャネルＣＨ＿ｕｓｅ以外のチャネルＣＨ＿ｏｔｈｅｒで無線基地局２を起動させ、接続先を無線基地局１から無線基地局２へ切り替える。
【０１９５】
従って、無線通信の干渉を低減して負荷を分散できる。
【０１９６】
また、無線基地局１，２の両方が起動状態であるとき、端末装置３〜６が負荷集約処理を実行するので、無線通信システム１０の消費電力を低減できる。
【０１９７】
更に、無線基地局１，２の両方が起動状態であるとき、無線基地局１，２は、相互に異なるチャネルで無線通信を行い、端末装置３〜６は、負荷分散処理を実行するので、無線通信の干渉を低減して無線基地局１または無線基地局２の負荷を低減できる。
【０１９８】
上記においては、無線基地局１，２に接続されている端末装置の台数を負荷として検出すると説明したが、実施の形態１においては、これに限らず、チャネルのビジー率、一定時間内における送受信パケット数、一定時間内における送受信データの量、エラー率、干渉状態およびノイズレベルを負荷として検出してもよい。
【０１９９】
この場合、無線基地局１，２のホストシステム１４３は、チャネルのビジー率、一定時間内における送受信パケット数、一定時間内における送受信データの量、エラー率、干渉状態およびノイズレベルを負荷として検出する。そして、無線基地局１，２のホストシステム１４３は、これらの各種の負荷に対して、対応表ＴＢＬ（図５参照）と同じような対応表を保持しており、その保持している対応表を参照して、検出した負荷に応じて自己の負荷の状態を決定するとともに、その決定した負荷状態をビーコンフレームＢｅａｃｏｎに含めてブロードキャストする。
【０２００】
チャネルのビジー率、一定時間内における送受信パケット数、一定時間内における送受信データの量、エラー率、干渉状態およびノイズレベルのいずれかを負荷として用いた場合も、図７に示すフローチャートおよび図９に示すフローチャートは、同様に実行される。
【０２０１】
また、上記においては、無線通信システム１０において使用可能なチャネル数は、３個（チャネルＣＨ１〜ＣＨ３）であると説明したが、実施の形態１においては、これに限らず、無線通信システム１０において使用可能なチャネル数は、４個以上であってもよく、一般的には、複数であればよい。チャネル数が複数であれば、複数の無線基地局の複数のネットワークに複数のチャネルを割り当てることにより、複数のネットワーク間で無線通信の干渉を抑制できるからである。
【０２０２】
更に、上述した無線基地局１，２および端末装置３〜６の動作は、プログラムによって実行されてもよい。
【０２０３】
この場合、無線基地局１，２および端末装置３〜６の各々は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）を備える。そして、無線基地局１，２の各々は、図７に示すステップＳ２１〜ステップＳ２４からなるプログラムＡをＲＯＭに格納している。そして、図７に示す動作が開始されると、無線基地局１，２のＣＰＵは、ＲＯＭからプログラムＡを読み出して実行する。これによって、ステップＳ２１〜ステップＳ２４が順次実行される。従って、プログラムＡは、無線基地局１，２の動作をコンピュータ（ＣＰＵ）に実行させるためのプログラムである。
【０２０４】
また、端末装置３〜６の各々は、図７に示すステップＳ２５〜ステップＳ２９からなるプログラムＢをＲＯＭに格納している。そして、図７に示す動作が開始されると、端末装置３〜６のＣＰＵは、ＲＯＭからプログラムＢを読み出して実行する。これによって、ステップＳ２５〜ステップＳ２９が順次実行される。従って、プログラムＢは、端末装置３〜６の動作をコンピュータ（ＣＰＵ）に実行させるためのプログラムである。
【０２０５】
更に、端末装置３〜６の各々は、図９に示すステップＳ３１〜ステップＳ４３からなるプログラムＣをＲＯＭに格納している。そして、図９に示す動作が開始されると、端末装置３〜６のＣＰＵは、ＲＯＭからプログラムＣを読み出して実行する。これによって、ステップＳ３１〜ステップＳ４３が順次実行される。従って、プログラムＣは、端末装置３〜６の動作をコンピュータ（ＣＰＵ）に実行させるためのプログラムである。
【０２０６】
上記においては、無線通信システム１０は、２台の無線基地局と、４台の端末装置とを備えると説明したが、実施の形態１においては、これに限らず、無線基地局は、複数台であればよく、端末装置も、複数台であればよい。
【０２０７】
［実施の形態２］
図１２は、実施の形態２による無線通信システムの構成を示す概略図である。図１２を参照して、実施の形態２による無線通信システム１０Ａは、図１に示す無線通信システム１０の無線基地局１，２をそれぞれ無線基地局１Ａ，２Ａに代えたものであり、その他は、無線通信システム１０と同じである。
【０２０８】
無線基地局１Ａ，２Ａは、有線ケーブル２０を介してネットワーク３０に接続される。また、無線基地局１Ａは、有線ケーブル２０を介して無線基地局２Ａと接続されていてもよい。
【０２０９】
無線基地局１Ａ，２Ａの各々は、スリープ状態から起動状態へ移行すると、無線基地局１，２における方法と同じ方法によって、無線通信に使用しているチャネルＣＨ＿ｕｓｅにおける負荷を検出する。そして、無線基地局１Ａは、その検出した負荷に基づいて、チャネルＣＨ＿ｕｓｅにおける負荷が過負荷状態であると判定すると、チャネルＣＨ＿ｕｓｅ以外のチャネルＣＨ＿ｏｔｈｅｒで起動するように無線基地局２Ａへウェイクアップ信号を無線通信で送信する。また、無線基地局２Ａは、その検出した負荷に基づいて、チャネルＣＨ＿ｕｓｅにおける負荷が過負荷状態であると判定すると、チャネルＣＨ＿ｕｓｅ以外のチャネルＣＨ＿ｏｔｈｅｒで起動するように無線基地局１Ａへウェイクアップ信号を無線通信で送信する。
【０２１０】
無線基地局１Ａ，２Ａは、その他、無線基地局１，２と同じ機能を果たす。
【０２１１】
図１３は、図１２に示す無線基地局１Ａの構成図である。図１３を参照して、無線基地局１Ａは、図２に示す無線基地局１のメイン装置１４をメイン装置１４Ａに代えたものであり、その他は、無線基地局１と同じである。
【０２１２】
メイン装置１４Ａは、図２に示すメイン装置１４のホストシステム１４３をホストシステム１４３Ａに代えたものであり、その他は、メイン装置１４と同じである。
【０２１３】
ホストシステム１４３Ａは、ホストシステム１４３と同じ方法によってチャネルＣＨ＿ｕｓｅにおける負荷が過負荷状態であるか否かを判定する。そして、ホストシステム１４３Ａは、チャネルＣＨ＿ｕｓｅにおける負荷が過負荷状態であると判定すると、無線基地局２ＡのウェイクアップＩＤを端末装置３〜６のホストシステム３４と同じ方法によって生成する。そうすると、ホストシステム１４３Ａは、チャネルＣＨ＿ｕｓｅ以外のチャネルＣＨ＿ｏｔｈｅｒを示すチャネル情報ＣＨ＿ｏｔｈｅｒ＿ｉｎｆｏと、無線基地局２ＡのウェイクアップＩＤとを含むウェイクアップ信号を生成し、その生成したウェイクアップ信号を無線通信モジュール１４１へ出力する。
【０２１４】
なお、無線基地局１Ａにおいては、無線通信モジュール１４１は、ホストシステム１４３Ａから受けたウェイクアップ信号をフレーム長変調し、その変調したウェイクアップ信号をアンテナ１１を介して無線基地局２Ａへ送信する。
【０２１５】
また、図１２に示す無線基地局２Ａも、図１３に示す無線基地局１Ａと同じ構成からなる。
【０２１６】
図１４は、２台の無線基地局１Ａ，２Ａのいずれか一方が起動状態であるときの無線通信システム１０Ａにおける動作を説明するためのフローチャートである。なお、図１４においては、無線基地局１Ａが起動状態であり、無線基地局２Ａがスリープ状態であることを前提とする。
【０２１７】
図１４に示すフローチャートは、図７に示すフローチャートのステップＳ２４をステップＳ５１に代え、ステップＳ２５〜ステップＳ２７を削除したものであり、その他は、図７に示すフローチャートと同じである。
【０２１８】
図１４を参照して、一連の動作が開始されると、無線基地局１Ａは、上述したステップＳ２１〜ステップＳ２３を順次実行する。
【０２１９】
そして、ステップＳ２３において、チャネルＣＨ＿ｕｓｅの状態が過負荷状態であると判定されると、無線基地局１Ａは、チャネルＣＨ＿ｕｓｅ以外のチャネルＣＨ＿ｏｔｈｅｒを示すチャネル情報ＣＨ＿ｏｔｈｅｒ＿ｉｎｆｏと無線基地局２ＡのウェイクアップＩＤとを含むウェイクアップ信号をフレーム長変調して送信する（ステップＳ５１）。
【０２２０】
その後、端末装置ＳＴＡは、上述したステップＳ２８，Ｓ２９を順次実行する。なお、図１４に示すフローチャートにおいては、ステップＳ２８において、無線基地局２ＡがチャネルＣＨ＿ｏｔｈｅｒで起動していないと判定されると、一連の動作は、ステップＳ５１へ移行する。無線基地局１Ａは、無線基地局２Ａから起動通知を受信するので、無線基地局２Ａが起動したか否かを判定できる。
【０２２１】
無線基地局２Ａが起動状態であり、無線基地局１Ａがスリープ状態であるときも、無線通信システム１０Ａの動作は、図１４に示すフローチャートに従って実行される。
【０２２２】
このように、実施の形態２においては、無線基地局１Ａ，２Ａのうち、起動状態である無線基地局Ａ（＝無線基地局１Ａ，２Ａのいずれか一方）は、無線通信に使用しているチャネルＣＨ＿ｕｓｅの負荷が過負荷状態であると判定すると、チャネルＣＨ＿ｕｓｅ以外のチャネルＣＨ＿ｏｔｈｅｒで起動するようにウェイクアップ信号をスリープ状態である無線基地局Ｂ（＝無線基地局１Ａ，２Ａのいずれか他方）へ送信する（ステップＳ５１参照）。
【０２２３】
そして、無線基地局Ａに接続している端末装置ＳＴＡは、無線基地局Ｂが起動すると、接続先を無線基地局Ａから無線基地局Ｂへ切り替える（ステップＳ２９参照）。
【０２２４】
従って、実施の形態２においては、過負荷状態であることを検出した無線基地局がスリープ状態である無線基地局を起動させる。
【０２２５】
その結果、過負荷状態であることを検出した無線基地局は、自己が過負荷状態であることを端末装置３〜６および他の無線基地局へ送信する必要が無く、負荷を迅速に分散できる。
【０２２６】
なお、上述した無線基地局１Ａ，２Ａおよび端末装置３〜６の動作は、プログラムによって実行されてもよい。
【０２２７】
この場合、無線基地局１Ａ，２Ａおよび端末装置３〜６の各々は、ＣＰＵ、ＲＯＭおよびＲＡＭを備える。そして、無線基地局１Ａ，２Ａの各々は、図１４に示すステップＳ２１〜ステップＳ２３およびステップＳ５１からなるプログラムＤをＲＯＭに格納している。そして、図１４に示す動作が開始されると、無線基地局１Ａ（または無線基地局２Ａ）のＣＰＵは、ＲＯＭからプログラムＤを読み出して実行する。これによって、ステップＳ２１〜ステップＳ２３およびステップＳ５１が順次実行される。従って、プログラムＤは、無線基地局１Ａ，２Ａの動作をコンピュータ（ＣＰＵ）に実行させるためのプログラムである。
【０２２８】
また、端末装置３〜６の各々は、図１４に示すステップＳ２８およびステップＳ２９からなるプログラムＥをＲＯＭに格納している。そして、図１４に示す動作が開始されると、端末装置３〜６のＣＰＵは、ＲＯＭからプログラムＥを読み出して実行する。これによって、ステップＳ２８およびステップＳ２９が順次実行される。従って、プログラムＥは、端末装置３〜６の動作をコンピュータ（ＣＰＵ）に実行させるためのプログラムである。
【０２２９】
実施の形態２におけるその他の説明は、実施の形態１と同じである。
【０２３０】
［実施の形態３］
図１５は、実施の形態３による無線通信システムの構成を示す概略図である。図１５を参照して、実施の形態３による無線通信システム１０Ｂは、図１に示す無線通信システム１０に端末装置７を追加したものであり、その他は、無線通信システム１０と同じである。
【０２３１】
端末装置７は、無線通信システム１０Ｂに新たに参加する。そして、端末装置７は、図３に示す端末装置３と同じ構成からなる。
【０２３２】
端末装置７の無線通信モジュール３２は、ホストシステム３４から接続要求を受けると、チャネルＣＨ１〜ＣＨ３の全てでスキャンする。そして、端末装置７の無線通信モジュール３２は、無線基地局１（または無線基地局２）からビーコンフレームＢｅａｃｏｎを受信すると、ビーコンフレームＢｅａｃｏｎを受信したときの受信信号強度ＲＳＳＩを検出する。その後、端末装置７の無線通信モジュール３２は、受信信号強度ＲＳＳＩとビーコンフレームＢｅａｃｏｎとをホストシステム３４へ出力する。
【０２３３】
端末装置７のウェイクアップ信号送信器３３は、ホストシステム３４からの要求に応じて、無線基地局１または無線基地局２のウェイクアップを試行する。
【０２３４】
端末装置７のホストシステム３４は、無線基地局１または無線基地局２への接続要求を無線通信モジュール３２へ出力する。そして、端末装置７のホストシステム３４は、無線通信モジュール２２から受信信号強度ＲＳＳＩおよびビーコンフレームＢｅａｃｏｎを受けると、ビーコンフレームＢｅａｃｏｎからチャネル情報ＣＨ＿ｕｓｅ＿ｉｎｆｏおよび状態情報ｓｔａｔｅ＿ｉｎｆｏを取り出す。
【０２３５】
その後、端末装置７のホストシステム３４は、受信信号強度ＲＳＳＩが一定値（＝例えば、−７０ｄＢｍ）以上であり、状態情報ｓｔａｔｅ＿ｉｎｆｏを構成するＳＴ値が“００”または“０１”であるとき、端末装置７を無線基地局１に接続するように無線通信モジュール３２を制御する。
【０２３６】
また、端末装置７のホストシステム３４は、受信信号強度ＲＳＳＩが一定値以上であり、状態情報ｓｔａｔｅ＿ｉｎｆｏを構成するＳＴ値が“１０”または“１１”であるとき、無線基地局１以外の無線基地局２のウェイクアップを試行するようにウェイクアップ信号送信器３３を制御する。
【０２３７】
更に、端末装置７のホストシステム３４は、受信信号強度ＲＳＳＩが一定値よりも小さいとき、無線基地局１以外の無線基地局２のウェイクアップを試行するようにウェイクアップ信号送信器３３を制御する。
【０２３８】
更に、端末装置７のホストシステム３４は、接続要求を無線通信モジュール３２へ出力した後、ビーコンフレームＢｅａｃｏｎを無線通信モジュール３２から受けないとき、無線基地局１または無線基地局２のウェイクアップを試行するようにウェイクアップ信号送信器３３を制御する。
【０２３９】
図１６は、端末装置が新たに参加したときの無線通信システム１０Ｂの動作を説明するフローチャートである。
【０２４０】
図１６を参照して、一連の動作が開始されると、端末装置７のホストシステム３４は、接続要求を無線通信モジュール３２に行い（ステップＳ６１）、無線通信モジュール３２は、チャネルＣＨ１〜ＣＨ３の全てでスキャンする（ステップＳ６２）。端末装置７の無線通信モジュール３２は、スキャンの結果、無線基地局１からビーコンフレームＢｅａｃｏｎを受信すると、ビーコンフレームＢｅａｃｏｎを受信したときの受信信号強度ＲＳＳＩを検出する。
【０２４１】
そして、端末装置７の無線通信モジュール３２は、受信信号強度ＲＳＳＩとビーコンフレームＢｅａｃｏｎをホストシステム３４へ出力する。端末装置７のホストシステム３４は、受信信号強度ＲＳＳＩおよびビーコンフレームＢｅａｃｏｎを無線通信モジュール３２から受ける。
【０２４２】
その後、端末装置７のホストシステム３４は、ビーコンフレームＢｅａｃｏｎを受けたか否かによって無線基地局を発見したか否かを判定する（ステップＳ６３）。
【０２４３】
ステップＳ６３において、無線基地局を発見しなかったと判定されたとき、端末装置７のホストシステム３４は、ウェイクアップを試行するようにウェイクアップ信号送信器３３を制御する。端末装置７のウェイクアップ信号送信器３３は、ホストシステム３４からのウェイクアップの試行制御に応じて、ウェイクアップの試行回数がｎ以上であるか否かを判定する（ステップＳ６４）。なお、ｎは、ウェイクアップの最大試行回数であり、例えば、３回である。
【０２４４】
ステップＳ６４において、ウェイクアップの試行回数がｎ以上でないと判定されたとき、端末装置７のウェイクアップ信号送信器３３は、無線基地局１のＥＳＳＩＤ（またはＢＳＳＩＤ）のハッシュ値を演算して無線基地局１のウェイクアップＩＤを生成し、その生成したウェイクアップＩＤを含むウェイクアップ信号を生成して送信する。また、端末装置７のウェイクアップ信号送信器３３は、同様にして、無線基地局２のウェイクアップＩＤを生成し、その生成したウェイクアップＩＤを含むウェイクアップ信号を生成して送信する。即ち、端末装置７のウェイクアップ信号送信器３３は、ウェイクアップを試行する（ステップＳ６５）。その後、一連の動作は、ステップＳ６２へ戻る。
【０２４５】
一方、ステップＳ６３において、無線基地局を発見したと判定されたとき、端末装置７のホストシステム３４は、受信信号強度ＲＳＳＩが一定値以上であるか否かを更に判定する（ステップＳ６６）。
【０２４６】
ステップＳ６６において、受信信号強度ＲＳＳＩが一定値以上であると判定されたとき、端末装置７のホストシステム３４は、ビーコンフレームＢｅａｃｏｎに含まれるチャネル情報ＣＨ＿ｕｓｅ＿ｉｎｆｏおよび状態情報ｓｔａｔｅ＿ｉｎｆｏを取り出し、状態情報ｓｔａｔｅ＿ｉｎｆｏを構成するＳＴ値（＝無線基地局１のＳＴ値）が“００”または“０１”であるか否かを更に判定する（ステップＳ６７）。
【０２４７】
ステップＳ６７において、ＳＴ値が“００”または“０１”でないと判定されたとき、端末装置７のホストシステム３４は、チャネル情報ＣＨ＿ｕｓｅ＿ｉｎｆｏによって示されるチャネルＣＨ＿ｕｓｅを高負荷ＡＰ（＝無線基地局１）のチャネルとして把握する（ステップＳ６８）。
【０２４８】
ステップＳ６８の後、またはステップＳ６６において受信信号強度ＲＳＳＩが一定値以上でないと判定されたとき、端末装置７のホストシステム３４は、ウェイクアップを試行するようにウェイクアップ信号送信器３３を制御する。端末装置７のウェイクアップ信号送信器３３は、ホストシステム３４からのウェイクアップの試行制御に応じて、ウェイクアップの試行回数がｎ以上であるか否かを判定する（ステップＳ６９）。
【０２４９】
ステップＳ６９において、ウェイクアップの試行回数がｎ以上でないと判定されたとき、端末装置７のホストシステム３４は、チャネルＣＨ＿ｕｓｅ以外のチャネルＣＨ＿ｏｔｈｅｒをウェイクアップ後の運用チャネルとして決定し（ステップＳ７０）、その決定したチャネルＣＨ＿ｏｔｈｅｒをウェイクアップ信号送信器３３へ出力する。
【０２５０】
端末装置７のウェイクアップ信号送信器３３は、チャネルＣＨ＿ｏｔｈｅｒをホストシステム３４から受けると、無線基地局２のウェイクアップＩＤを生成する。そして、端末装置７のウェイクアップ信号送信器３３は、チャネルＣＨ＿ｏｔｈｅｒと無線基地局２のウェイクアップＩＤとを含むウェイクアップ信号を生成して送信する。即ち、端末装置７のウェイクアップ信号送信器３３は、ウェイクアップを試行する（ステップＳ７１）。その後、一連の動作は、ステップＳ６２へ戻る。
【０２５１】
一方、ステップＳ６９において、ウェイクアップの試行回数がｎ以上であると判定されたとき、端末装置７のホストシステム３４は、無線基地局１のＳＴ値が“１１”であるか否かを更に判定する（ステップＳ７２）。
【０２５２】
ステップＳ６７において、ＳＴ値が“００”または“０１”であると判定されたとき、またはステップＳ７２において、ＳＴ値が“１１”でないと判定されたとき、端末装置７のホストシステム３４は、接続処理を行うように無線通信モジュール３２を制御し、無線通信モジュール３２は、接続処理を行う（ステップＳ７３）。
【０２５３】
そして、ステップＳ６４において、ウェイクアップの試行回数がｎ以上であると判定されたとき、またはステップＳ７２において、ＳＴ値が“１１”であると判定されたとき、またはステップＳ７３の後、一連の動作は、終了する。
【０２５４】
一連の動作がステップＳ６１、ステップＳ６２、ステップＳ６３の“ＹＥＳ”、ステップＳ６６の“ＹＥＳ”およびステップＳ６７の“ＹＥＳ”を経てステップＳ７３へ至った場合、端末装置７は、ステップＳ７３において、無線基地局１に接続する。
【０２５５】
また、一連の動作がステップＳ６１、ステップＳ６２、ステップＳ６３の“ＹＥＳ”、ステップＳ６６の“ＮＯ”、ステップＳ６９の“ＹＥＳ”およびステップＳ７２の“ＮＯ”を経てステップＳ７３へ至った場合も、端末装置は、ステップＳ７３において、無線基地局１に接続する。
【０２５６】
更に、一連の動作がステップＳ６３の“ＮＯ”、ステップＳ６４の“ＮＯ”、ステップＳ６５、ステップＳ６２およびステップＳ６３の“ＹＥＳ”を経て、最終的にステップＳ７３へ至った場合、端末装置７は、ステップＳ７３において、新たに起動した無線基地局に接続する。
【０２５７】
ステップＳ７０、ステップＳ７１、ステップＳ６２およびステップＳ６３の“ＹＥＳ”を経て、最終的にステップＳ７３へ至った場合、端末装置７は、ステップＳ７３において、チャネルを指定されて起動した無線基地局に接続する。
【０２５８】
このように、新たに参加する端末装置７は、最初に発見した無線基地局からの受信信号強度ＲＳＳＩが一定値以上であり、最初に発見した無線基地局が低負荷または中負荷であれば、その最初に発見した無線基地局に接続し、最初に発見した無線基地局が高負荷または過負荷であれば、新たに起動した周辺の無線基地局に接続する。
【０２５９】
また、新たに参加する端末装置７は、受信信号強度ＲＳＳＩが一定値よりも小さい無線基地局しか発見できない場合、ウェイクアップを試行するので、受信信号強度ＲＳＳＩが一定値以上の新たに起動した無線基地局に接続可能である。
【０２６０】
更に、新たに参加する端末装置７は、最初に発見した無線基地局が高負荷または過負荷であれば、ウェイクアップ後のチャネルＣＨ＿ｏｔｈｅｒを指定して別の無線基地局のウェイクアップを試行するので、無線通信の干渉を低減して高負荷または過負荷の無線基地局の負荷を分散できる。
【０２６１】
上述した端末装置７の動作は、プログラムによって実行されてもよい。この場合、端末装置７は、ＣＰＵ、ＲＯＭおよびＲＡＭを備える。そして、端末装置７は、図１６に示すステップＳ６１〜ステップＳ７３からなるプログラムＦをＲＯＭに格納している。そして、図１６に示す動作が開始されると、端末装置７のＣＰＵは、ＲＯＭからプログラムＦを読み出して実行する。これによって、ステップＳ６１〜ステップＳ７３が順次実行される。従って、プログラムＦは、端末装置７の動作をコンピュータ（ＣＰＵ）に実行させるためのプログラムである。
【０２６２】
実施の形態３におけるその他の説明は、実施の形態１における説明と同じである。
【０２６３】
［実施の形態４］
図１７は、実施の形態４による無線通信システムの構成を示す概略図である。図１７を参照して、実施の形態４による無線通信システム１０Ｃは、無線基地局１００，１０１と、端末装置１１０，１１１とを備える。
【０２６４】
無線基地局１００および端末装置１１０は、家１２０内に配置される。無線基地局１０１および端繭装置１１１は、家１３０内に配置される。
【０２６５】
無線基地局１００は、無線基地局１０１の通信範囲内に配置され、無線基地局１０１は、無線基地局１００の通信範囲内に配置される。
【０２６６】
無線基地局１００は、送信対象のデータを暗号して端末装置１１０と無線通信を行う。
【０２６７】
また、無線基地局１００は、自己のネットワーク内における無線通信と無線基地局１０１のネットワーク内における無線通信との間に干渉または衝突を検出すると、チャネルの変更依頼または送信タイミングの調整依頼をフレーム長変調によって無線基地局１０１へ送信する。
【０２６８】
無線基地局１０１は、送信対象のデータを暗号して端末装置１１１と無線通信を行う。
【０２６９】
また、無線基地局１０１は、自己のネットワーク内における無線通信と無線基地局１００のネットワーク内における無線通信との間に干渉または衝突を検出すると、チャネルの変更依頼または送信タイミングの調整依頼をフレーム長変調によって無線基地局１００へ送信する。
【０２７０】
端末装置１１０は、送信対象のデータを暗号して無線基地局１００と無線通信を行う。
【０２７１】
端末装置１１１は、送信対象のデータを暗号して無線基地局１０１と無線通信を行う。
【０２７２】
なお、図１７においては、図示されていないが、無線基地局１００，１０１は、有線ケーブル２０を介してネットワーク３０に接続されている。
【０２７３】
図１８は、図１７に示す無線基地局１００の構成図である。図１８を参照して、無線基地局１００は、図２に示す無線基地局１のメイン装置１４をメイン装置１４Ｂに代えたものであり、その他は、無線基地局１と同じである。
【０２７４】
なお、実施の形態４においては、ウェイクアップ信号受信器１３１は、チャネルの変更依頼または送信タイミングの調整依頼を表わすフレーム長ＦＬを有するパケットを受信し、その受信したパケットの受信電波に基づいて、上述した方法によって、フレーム長ＦＬを検出する。そして、ウェイクアップ信号受信器１３１は、その検出したフレーム長ＦＬをウェイクアップ判定器１３２へ出力する。
【０２７５】
ウェイクアップ判定器１３２は、チャネルの変更依頼または送信タイミングの調整依頼を表わすフレーム長として、例えば、７００μｓのフレーム長を保持する。ウェイクアップ判定器１３２は、ウェイクアップ信号受信器１３１からフレーム長ＦＬを受けると、その受けたフレーム長ＦＬが７００μｓに一致するか否かを判定する。
【０２７６】
ウェイクアップ判定器１３２は、フレーム長ＦＬが７００μｓに一致すると判定されたとき、チャネルの変更依頼を示す信号ＡＳＫ１または送信タイミングの調整依頼を示す信号ＡＳＫ２を生成してホストシステム１４３Ｂへ出力する。一方、ウェイクアップ判定器１３２は、フレーム長ＦＬが７００μｓに一致しないとき、フレーム長ＦＬがチャネルの変更依頼または送信タイミングの調整依頼を表わさないと判定し、信号ＡＳＫ１または信号ＡＳＫ２をホストシステム１４３Ｂへ出力しない。
【０２７７】
メイン装置１４Ｂは、図２に示すメイン装置１４の無線通信モジュール１４１を無線通信モジュール１４１Ａに代え、ホストシステム１４３をホストシステム１４３Ｂに代えたものであり、その他は、メイン装置１４と同じである。
【０２７８】
ホストシステム１４３Ｂは、端末装置１１０と無線通信を行っているときに、端末装置１１０から送信されたデータの誤り率を検出し、その検出した誤り率がしきい値以上であるとき、無線基地局１００のネットワークと無線基地局１０１のネットワークとの間で干渉が生じていると判定する。
【０２７９】
また、ホストシステム１４３Ｂは、無線基地局１００のネットワーク内で使用されるチャネルと無線基地局１０１のネットワーク内で使用されるチャネルとが同一である場合、無線基地局１００のネットワークと無線基地局１０１のネットワークとの間で衝突が生じていると判定する。なお、ホストシステム１４３Ｂは、無線基地局１０１から受信したビーコンフレームＢｅａｃｏｎに含まれるチャネルを無線基地局１０１のネットワーク内で使用されるチャネルとして検出する。従って、ホストシステム１４３Ｂは、無線基地局１００のネットワークと無線基地局１０１のネットワークとの間で衝突が生じているか否かを判定できる。なお、ホストシステム１４３Ｂは、ビーコンフレームＢｅａｃｏｎに含まれるチャネルに限らず、Ｐｒｏｂｅ  Ｒｅｑｕｅｓｔに含まれるチャネルを検出して無線基地局１００のネットワークと無線基地局１０１のネットワークとの間で衝突が生じているか否かを判定してもよく、ホストシステム１４３Ｂは、データの誤り率がしきい値よりも低いことを検出して無線基地局１００のネットワークと無線基地局１０１のネットワークとの間で衝突が生じているか否かを判定してもよい。一般的には、ホストシステム１４３Ｂは、ネットワーク間の衝突が生じているか否かを判定できる方法であれば、どのような方法を用いて、無線基地局１００のネットワークと無線基地局１０１のネットワークとの間で衝突が生じているか否かを判定してもよい。
【０２８０】
そして、ホストシステム１４３Ｂは、無線基地局１００のネットワークと無線基地局１０１のネットワークとの間で干渉または衝突が生じていると判定したとき、チャネルの変更依頼または送信タイミングの調整依頼を表わすフレーム長ＦＬ（＝７００μｓ）を無線通信モジュール１４１Ａへ出力する。
【０２８１】
ホストシステム１４３Ｂは、ウェイクアップ判定器１３２から信号ＡＳＫ１を受けたとき、現在、使用しているチャネルと異なるチャネルを無線通信モジュール１４１Ａへ出力し、ウェイクアップ判定器１３２から信号ＡＳＫ２を受けたとき、送信タイミングの変更指示を無線通信モジュール１４１Ａへ出力する。
【０２８２】
ホストシステム１４３Ｂは、その他、ホストシステム１４３と同じ機能を果たす。
【０２８３】
無線通信モジュール１４１Ａは、チャネルの変更依頼または送信タイミングの調整依頼を表わすフレーム長ＦＬをホストシステム１４３Ｂから受けると、ペイロードを調整してフレーム長ＦＬを有するパケットを生成するとともに、その生成したパケットを暗号し、その暗号したパケットをアンテナ１１を介して送信する。
【０２８４】
無線通信モジュール１４１Ａは、ホストシステム１４３Ｂからチャネルを受けると、その受けたチャネルを用いて端末装置１１０と無線通信を行う。また、無線通信モジュール１４１Ａは、送信タイミングの変更指示をホストシステム１４３Ｂから受けると、送信タイミングを変更してパケットを端末装置１１０へ送信する。
【０２８５】
無線通信モジュール１４１Ａは、その他、無線通信モジュール１４１と同じ機能を果たす。
【０２８６】
なお、図１７に示す無線基地局１０１も、図１８に示す無線基地局１００と同じ構成からなる。
【０２８７】
図１９は、図１７に示す端末装置１１０の構成図である。図１９を参照して、端末装置１１０は、図３に示す端末装置３のウェイクアップ信号送信器３３を削除し、無線通信モジュール３２を無線通信モジュール３２Ａに代えたものであり、その他は、端末装置３と同じである。
【０２８８】
無線通信モジュール３２Ａは、アンテナ３１を介して無線基地局１からパケットを受信し、その受信したパケットを復号するとともに復調してデータを取り出し、その取り出したデータをホストシステム３４へ出力する。また、無線通信モジュール３２Ａは、ホストシステム３４からデータを受け、その受けたデータを含むパケットを生成する。そして、無線通信モジュール３２Ａは、その生成したパケットを無線ＬＡＮによる変調方式によって変調し、その変調したパケットを暗号し、その暗号したパケットをアンテナ３１を介して無線基地局１へ送信する。
【０２８９】
図２０は、図１７に示す無線通信システム１０Ｃの動作を説明するためのフローチャートである。なお、無線基地局１００，１０１の両方が起動状態であることを前提として無線通信システム１０Ｃの動作を説明する。
【０２９０】
図２０を参照して、一連の動作が開始されると、無線基地局１００は、自己のネットワーク内で送信対象のデータを暗号して端末装置１１０と無線通信を開始し、無線基地局１０１は、自己のネットワーク内で送信対象のデータを暗号して端末装置１１１と無線通信を開始する（ステップＳ８１）。
【０２９１】
そして、無線基地局１００は、上述した方法によって、無線基地局１００のネットワーク内における無線通信と無線基地局１０１のネットワーク内における無線通信との間で干渉または衝突が発生したか否かを判定する（ステップＳ８２）。
【０２９２】
ステップＳ８２において、干渉または衝突が発生したと判定されたとき、無線基地局１００は、ペイロードを調整して、チャネルの変更依頼または送信タイミングの調整依頼を表わすフレーム長ＦＬを有するパケットを生成して送信する（ステップＳ８３）。
【０２９３】
そして、無線基地局１０１は、パケットを受信し、上述した方法によって、パケットのフレーム長を検出する（ステップＳ８４）。
【０２９４】
その後、無線基地局１０１は、その検出したフレーム長がチャネルの変更依頼または送信タイミングの調整依頼を表わすか否かを判定する（ステップＳ８５）。
【０２９５】
ステップＳ８５において、フレーム長がチャネルの変更依頼または送信タイミングの調整依頼を表わすと判定されたとき、無線基地局１０１は、チャネルまたは送信タイミングを変更して端末装置１１１と無線通信を行う（ステップＳ８６）。
【０２９６】
そして、ステップＳ８２において、干渉または衝突が発生していないと判定されたとき、またはステップＳ８５において、フレーム長がチャネルの変更依頼または送信タイミングの調整依頼を表わさないと判定されたとき、またはステップＳ８６の後、一連の動作は、終了する。
【０２９７】
なお、図１９に示すフローチャートにおいては、無線基地局１０１がステップＳ８１，Ｓ８２，Ｓ８３を実行し、無線基地局１００がステップＳ８４〜ステップＳ８６を実行するようにしてもよい。
【０２９８】
このように、実施の形態４においては、無線基地局１００，１０１のいずれか一方が無線通信の干渉または衝突の発生を検出すると、無線基地局１００，１０１のいずれか他方がチャネルまたは送信タイミングを変更して無線通信を行う。
【０２９９】
従って、無線基地局１００，１０１は、無線通信の干渉または衝突を回避して自己のネットワーク内で無線通信を行うことができる。
【０３００】
そして、無線通信の干渉または衝突を回避して無線通信を行うと、無線基地局１００，１０１の各々のネットワークにおける負荷が減少する。その結果、チャネルまたは送信タイミングを変更して無線通信を行うことは、負荷を分散することに相当する。よって、図２０に示すフローチャートに従って無線通信を行うことによって、負荷を分散できる。
【０３０１】
また、無線通信システム１０Ｃは、使用可能なチャネル数が少ない場合に有効である。無線通信の干渉または衝突が発生した場合、無線基地局１００，１０１がチャネルの変更依頼を行うからである。
【０３０２】
上述した無線基地局１００，１０１の動作は、プログラムによって実行されてもよい。この場合、無線基地局１００，１０１の各々は、ＣＰＵ、ＲＯＭおよびＲＡＭを備える。そして、無線基地局１００は、図１９に示すステップＳ８１，Ｓ８２，Ｓ８３からなるプログラムＧをＲＯＭに格納している。そして、無線基地局１００のＣＰＵは、ＲＯＭからプログラムＧを読み出して実行する。これによって、ステップＳ８１，Ｓ８２，Ｓ８３が順次実行される。従って、プログラムＧは、無線基地局１００の動作をコンピュータに実行させるためのプログラムである。
【０３０３】
また、無線基地局１０１は、図１９に示すステップＳ８４〜Ｓ８６からなるプログラムＨをＲＯＭに格納している。そして、無線基地局１０１のＣＰＵは、ＲＯＭからプログラムＨを読み出して実行する。これによって、ステップＳ８４〜Ｓ８９が順次実行される。従って、プログラムＨは、無線基地局１０１の動作をコンピュータに実行させるためのプログラムである。
【０３０４】
上記においては、負荷を分散するためにウェイクアップ後のチャネル情報をウェイクアップ信号に含めると説明したが、この発明の実施の形態においては、これに限らず、負荷を分散するために送信タイミングまたはタイムスロットをウェイクアップ信号に含めてもよい。この場合、ウェイクアップ後のチャネルは、無線基地局１（または無線基地局１Ａ）のネットワークと無線基地局２（または無線基地局２Ａ）のネットワークとの間で同じであっても、送信タイミングまたはタイムスロットが無線基地局１（または無線基地局１Ａ）のネットワークと無線基地局２（または無線基地局２Ａ）のネットワークとの間で異なるので、無線基地局１（または無線基地局１Ａ）のネットワークと無線基地局２（または無線基地局２Ａ）のネットワークとの間で干渉を低減できる。
【０３０５】
従って、この発明の実施の形態においては、チャネル、送信タイミングおよびタイムスロットを無線通信資源として捉えれば、無線基地局１，２（または無線基地局１Ａ，２Ａ）は、相互に異なる無線通信資源で起動し、相互に異なる無線通信資源を用いて端末装置３〜６（または端末装置３〜７）と無線通信を行えばよい。
【０３０６】
また、上述した実施の形態１においては、無線基地局１が、自己の使用チャネルＣＨ＿ｕｓｅが過負荷状態であることを検出して端末装置３〜６へ送信し、端末装置３〜６のいずれかが、チャネルＣＨ＿ｕｓｅ以外のチャネルＣＨ＿ｏｔｈｅｒで起動するように無線基地局２へウェイクアップ信号を送信するとともに、無線基地局２が起動すると、接続先を無線基地局１から無線基地局２へ切り替えることについて説明した。また、実施の形態２においては、無線基地局１Ａが、自己の使用チャネルＣＨ＿ｕｓｅが過負荷状態であることを検出すると、チャネルＣＨ＿ｕｓｅ以外のチャネルＣＨ＿ｏｔｈｅｒで起動するように無線基地局２Ａへウェイクアップ信号を送信し、端末装置３〜６のいずれかが、無線基地局２Ａが起動すると、接続先を無線基地局１Ａから無線基地局２Ａへ切り替えることについて説明した。更に、実施の形態３においては、新たに参加する端末装置７が、発見した無線基地局の使用チャネルＣＨ＿ｕｓｅが過負荷状態であるとき、チャネルＣＨ＿ｕｓｅ以外のチャネルＣＨ＿ｏｔｈｅｒで起動するように、発見した無線基地局以外の無線基地局のウェイクアップを試行し、発見した無線基地局以外の無線基地局が起動すると、その起動した無線基地局に接続することについて説明した。
【０３０７】
更に、実施の形態４においては、無線基地局１００，１０１の一方が無線通信の干渉または衝突を検知すると、チャネルの変更依頼または送信タイミングの調整依頼を送信することについて説明した。
【０３０８】
上述した実施の形態１〜実施の形態３における開示内容に基づけば、端末装置３〜７は、自己が接続している無線基地局１，１Ａが過負荷状態であることを検知すると、無線基地局１，１Ａとの間で使用されているチャネルＣＨ＿ｕｓｅ以外のチャネルＣＨ＿ｏｔｈｅｒで起動するようにウェイクアップ信号を無線基地局１，１Ａと異なる無線基地局２，２Ａへ送信する。即ち、端末装置３〜７は、チャネルＣＨ＿ｕｓｅ以外のチャネルＣＨ＿ｏｔｈｅｒで起動するように無線基地局１，１Ａと異なる無線基地局２，２Ａを制御する。また、実施の形態４における開示内容に基づけば、無線基地局１００，１０１の一方は、チャネルを変更して無線通信を行うように、または送信タイミングを調整して無線通信を行うように無線基地局１００，１０１の他方を制御する。
【０３０９】
従って、この発明の実施の形態による無線装置は、第１の無線基地局が無線通信に使用している第１の無線通信資源における負荷が、無線通信特性がしきい値よりも低くなる負荷状態であるとき、第１の無線基地局と異なる第２の無線基地局が第１の無線通信資源と異なる第２の無線通信資源で起動または無線通信を行うように前記第２の無線基地局を制御する制御手段を備え、第１および第２の無線通信資源の各々は、チャネル、送信タイミングおよびタイムスロットのいずれかからなっていればよい。そして、無線通信特性は、例えば、データの誤り率からなり、データの誤り率がしきい値よりも低くなった状態は、第１の無線通信資源における負荷が負荷状態であることに相当する。
【０３１０】
また、上述した実施の形態１〜実施の形態３における開示内容に基づけば、端末装置３〜７は、過負荷状態である無線基地局１，１Ａと異なる無線基地局２，２Ａが起動すると、接続先を無線基地局１，１Ａから無線基地局２，２Ａに切り替える。
【０３１１】
従って、この発明の実施の形態による端末装置は、第１の無線基地局と無線通信を行っているときに、第１の無線基地局が無線通信に使用している第１の無線通信資源における負荷が第１の無線基地局への新たな接続を第１の無線基地局によって拒否される状態である過負荷状態になり、かつ、第１の無線基地局と異なる第２の無線基地局が第１の無線通信資源と異なる第２の無線通信資源で起動すると、当該端末装置の接続先を第１の無線基地局から第２の無線基地局へ切り替える切替手段を備え、第１および第２の無線通信資源の各々は、チャネル、送信タイミングおよびタイムスロットのいずれかからなっていればよい。
【０３１２】
この発明の実施の形態による端末装置が上記の構成からなる結果、端末装置は、第１の無線基地局から第２の無線基地局へ接続先を切り替え、第１の無線基地局における第１の無線通信資源と異なる第２の無線通信資源を用いて第２の無線基地局と無線通信を行う。
【０３１３】
従って、無線通信の干渉を低減して無線基地局の負荷を分散できる。
【０３１４】
また、実施の形態１における開示内容に基づけば、無線基地局１は、チャネル情報ＣＨ＿ｕｓｅと過負荷状態（＝“１１”）を示す状態情報ｓｔａｔｅ＿ｉｎｆｏ（＝過負荷情報）とを含むビーコンフレームＢｅａｃｏｎをブローキャストする。
【０３１５】
従って、この発明の実施の形態による無線基地局は、無線通信に使用している無線通信資源における負荷を検出する負荷検出手段と、検出された負荷に基づいて、当該無線基地局の状態が、当該無線基地局への新たな接続を拒否する状態である過負荷状態であるか否かを判定する判定手段と、判定手段によって当該無線基地局の状態が過負荷状態であると判定されると、過負荷状態であることを示す過負荷情報と前記無線通信資源を示す資源情報とを含む制御パケットをブロードキャストする送信手段とを備え、無線通信資源は、チャネル、送信タイミングおよびタイムスロットのいずれかからなっていればよい。
【０３１６】
無線基地局が過負荷状態であることを示す過負荷情報と無線通信資源を示す資源情報とを含む制御パケットをブロードキャストすると、端末装置は、制御パケットを受信し、制御パケットに含まれる過負荷情報に基づいて無線基地局が過負荷状態であることを検知し、制御パケットに含まれる無線通信資源と異なる無線通信資源で他の無線基地局を起動させ、その起動した他の無線基地局に接続する。その結果、無線通信の干渉を低減して無線基地局の負荷を分散できる。
【０３１７】
更に、実施の形態２における開示内容に基づけば、無線基地局１Ａは、自己のチャネルＣＨ＿ｕｓｅが過負荷状態であると判定すると、チャネルＣＨ＿ｕｓｅ以外のチャネルＣＨ＿ｏｔｈｅｒで起動するようにウェイクアップ信号を無線基地局２Ａへ送信する。
【０３１８】
従って、この発明の実施の形態による無線基地局は、無線通信に使用している第１の無線通信資源における負荷を検出する負荷検出手段と、検出された負荷に基づいて、当該無線基地局の状態が、当該無線基地局への新たな接続を拒否する状態である過負荷状態であるか否かを判定する判定手段と、判定手段によって当該無線基地局の状態が過負荷状態であると判定されると、第１の無線通信資源と異なる第２の無線通信資源で起動するように要求する起動要求を無線通信によって他の無線基地局へ送信する送信手段とを備え、第１および第２の無線通信資源の各々は、チャネル、送信タイミングおよびタイムスロットのいずれかからなっていればよい。
【０３１９】
無線基地局が第１の無線通信資源と異なる第２の無線通信資源で起動するように要求する起動要求を他の無線基地局へ送信すると、他の無線基地局は、第２の無線通信資源で起動し、端末装置は、その起動した他の無線基地局に接続し、第２の無線通信資源を用いて他の無線基地局と無線通信を行う。従って、無線通信の干渉を低減して無線基地局の負荷を分散できる。
【０３２０】
上述した端末装置および無線基地局の構成を、アドホック無線ネットワークを構成する無線装置にも適用することによって、アドホック無線ネットワークにおいて、相互に異なる無線通信資源を用いて無線通信を行う複数の経路を確立可能である。その結果、アドホック無線ネットワークにおいても、無線通信の干渉を低減して無線装置の負荷を分散できる。
【０３２１】
従って、上述した端末装置および無線基地局の構成を一般的な無線装置の構成に拡張できる。
【０３２２】
よって、この発明の実施の形態による無線装置は、第１の無線装置が無線通信に使用している第１の無線通信資源における負荷が、無線通信特性がしきい値よりも低くなる負荷状態であるとき、第１の無線装置と異なる第２の無線装置が第１の無線通信資源と異なる第２の無線通信資源で起動または無線通信を行うように前記第２の無線装置を制御する制御手段を備え、第１および第２の無線通信資源の各々は、チャネル、送信タイミングおよびタイムスロットのいずれかからなっていればよい。
【０３２３】
また、この発明の実施の形態による無線装置は、第１の無線装置と無線通信を行っているときに、第１の無線装置が無線通信に使用している第１の無線通信資源における負荷が第１の無線装置への新たな接続を第１の無線装置によって拒否される状態である過負荷状態になり、かつ、第１の無線装置と異なる第２の無線装置が第１の無線通信資源と異なる第２の無線通信資源で起動すると、当該無線装置の接続先を第１の無線装置から第２の無線装置へ切り替える切替手段を備え、第１および第２の無線通信資源の各々は、チャネル、送信タイミングおよびタイムスロットのいずれかからなっていればよい。
【０３２４】
更に、この発明の実施の形態による無線装置は、無線通信に使用している無線通信資源における負荷を検出する負荷検出手段と、検出された負荷に基づいて、当該無線装置の状態が、当該無線装置への新たな接続を拒否する状態である過負荷状態であるか否かを判定する判定手段と、判定手段によって当該無線装置の状態が過負荷状態であると判定されると、過負荷状態であることを示す過負荷情報と無線通信資源を示す資源情報とを含む制御パケットをブロードキャストする送信手段とを備え、無線通信資源は、チャネル、送信タイミングおよびタイムスロットのいずれかからなっていればよい。
【０３２５】
更に、この発明の実施の形態による無線装置は、無線通信に使用している第１の無線通信資源における負荷を検出する負荷検出手段と、検出された負荷に基づいて、当該無線装置の状態が、当該無線装置への新たな接続を拒否する状態である過負荷状態であるか否かを判定する判定手段と、判定手段によって当該無線装置の状態が過負荷状態であると判定されると、第１の無線通信資源と異なる第２の無線通信資源で起動するように要求する起動要求を無線通信によって他の無線装置へ送信する送信手段とを備え、第１および第２の無線通信資源の各々は、チャネル、送信タイミングおよびタイムスロットのいずれかからなっていればよい。
【０３２６】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０３２７】
この発明は、無線装置およびそれにおいて実行されるプログラムに適用される。
【符号の説明】
【０３２８】
１，１Ａ，２，２Ａ，１００，１０１  無線基地局、３〜７，１１０，１１１  端末装置、１０，１０Ａ，１０Ｂ，１０Ｃ  無線通信システム、１１，３１  アンテナ、１２  切替器、１３  ウェイクアップ装置、１４，１４Ａ，１４Ｂ  メイン装置、１５  電源、２０  有線ケーブル、３０  ネットワーク、３２，３２Ａ，１４１，１４１Ａ  無線通信モジュール、３３  ウェイクアップ信号送信器、３４，１４３，１４３Ａ，１４３Ｂ  ホストシステム、１２０，１３０  家、１２１  スイッチ、１２２，１２３  端子、１３１  ウェイクアップ信号受信器、１３２  ウェイクアップ判定器、１４２  有線通信モジュール。
【図１】
2015149631.tif 000003
【図２】
2015149631.tif 000004
【図３】
2015149631.tif 000005
【図４】
2015149631.tif 000006
【図５】
2015149631.tif 000007
【図６】
2015149631.tif 000008
【図７】
2015149631.tif 000009
【図８】
2015149631.tif 000010
【図９】
2015149631.tif 000011
【図１０】
2015149631.tif 000012
【図１１】
2015149631.tif 000013
【図１２】
2015149631.tif 000014
【図１３】
2015149631.tif 000015
【図１４】
2015149631.tif 000016
【図１５】
2015149631.tif 000017
【図１６】
2015149631.tif 000018
【図１７】
2015149631.tif 000019
【図１８】
2015149631.tif 000020
【図１９】
2015149631.tif 000021
【図２０】
2015149631.tif 000022